【事件の表示】
　上記当事者間の特許第６１７４７２５号発明「肌状態測定分析情報管理システムおよび肌状態測定分析情報管理方法」の特許無効審判事件について、次のとおり審決する。
【結　論】
　本件審判の請求は、成り立たない。
　審判費用は、請求人の負担とする。
【理　由】
理　由 
第１　手続の経緯 
　本件の特許第６１７４７２５号についての手続の経緯は、概略、以下のとおりである。
 出願（特願２０１６−３４９９号）　　　　　平成２８年１月１２日
 （原出願（特願２０１３−５５８７６２号）　平成２５年２月１５日）
 （優先日（特願２０１２−３００２０号）　　平成２４年２月１５日）
 （優先日（特願２０１２−２６５８５７号）　平成２４年１２月４日）
 設定登録　　　　　　　　　　　　　　　　　平成２９年７月１４日
 本件無効審判請求　　　　　　　　　　　　　平成３０年７月５日受付
 審判事件答弁書提出　　　　　　　　　　　　平成３０年１０月２５日
 審理事項通知　　　　　　　　　　　　　　　平成３１年２月１２日付け
 口頭審理陳述要領書提出（被請求人）　　　　平成３１年３月２９日受付
 口頭審理陳述要領書提出（請求人）　　　　　平成３１年４月３日受付
 口頭審理　　　　　　　　　　　　　　　　　平成３１年４月１６日
第２　本件発明 
　特許第６１７４７２５号の請求項１乃至１４に係る発明（以下、請求項１に係る発明を「本件発明１」といい、その他の請求項に係る発明も同様に称する。）は、特許請求の範囲に記載された次のとおりのものである。（なお、請求項１の（Ａ）、（Ｂ）等の分説記号は、審判請求書において用いられているものを合議体が便宜上付与したものである。） 
 ＜本件発明＞
 「【請求項１】
（Ａ）ユーザーにより使用される肌状態測定装置およびスキンケア装置とデータの送受信が行えるように有線または無線で接続されるとともに、ネットワークに接続してデータの送受信を行う送受信手段と表示手段とを備えたユーザークライアントと、
（Ｂ）前記ユーザークライアントに対して前記ネットワークを介してデータの送受信が可能にされ、前記ユーザーに関連する情報を前記ユーザー毎に重複の無い一意の顧客ＩＤに関連付けて記憶するデータ管理サーバと、
（Ｃ）前記肌状態測定装置により測定された測定データを分析することにより得られる肌状態の分析結果データが入力され、当該分析結果データを前記ユーザークライアントで表示可能に出力する分析結果出力手段と、
　を備え、
　前記データ管理サーバは、
（ｂ１）複数の各ユーザークライアントから受信した前記ユーザーの個人の特定につながる個人情報と前記ユーザーの個人情報を除いた付帯情報を含み、前記顧客ＩＤに関連付けられたユーザーデータが登録されるユーザーデータ用データベースと、
（ｂ２）前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベースと、
（ｂ３）前記ユーザークライアントからの閲覧要求に基づき、前記測定データ用データベースまたは前記ユーザーデータ用データベースに登録されるとともに、前記ユーザークライアントの前記顧客ＩＤに関連付けられたデータを、前記ユーザークライアントに送信するデータ閲覧用データ送信手段と、
（ｂ４）前記分析結果出力手段から得られた前記肌状態の分析結果データに基づいて前記スキンケア装置の制御方法を決定するスキンケア装置制御方法決定手段と、を備え、
　前記ユーザークライアントは、
（ａ１）前記ユーザーにより入力されるとともに前記個人情報と前記付帯情報を含むユーザーデータを前記データ管理サーバに送信するユーザーデータ送信手段と、
（ａ２）前記肌状態測定装置により測定された前記ユーザーの前記測定データが当該肌状態測定装置から入力された場合に、入力された前記測定データを前記データ管理サーバに送信する測定データ送信手段と、
（ａ３）前記測定データに対する前記分析結果データが前記分析結果出力手段から入力された場合に前記分析結果データを表示する分析結果表示手段と、
（ａ４）前記測定データ用データベースまたは前記ユーザーデータ用データベースから前記顧客ＩＤに関連付けて記憶された各データの送信を要求するデータ閲覧要求手段と、
（ａ５）前記データ閲覧要求手段により要求したデータを前記データ管理サーバから受信した場合に、送信されたデータを表示するデータ表示手段とを備え、
（Ｄ）前記スキンケア装置は、前記スキンケア装置制御方法決定手段により決定された制御方法に基づいて制御される
（Ｅ）ことを特徴とする肌状態測定分析情報管理システム。
　【請求項２】
　前記データ管理サーバは、
　前記分析結果出力手段から得られた前記肌状態の分析結果デー夕に基づいて前記スキンケア装置の推奨される使用スケジュールを決定するスキンケア装置使用スケジュール決定手段を備え、
　前記ユーザークライアントは、
　前記スキンケア装置使用スケジュール決定手段により決定された前記スキンケア装置の推奨される使用スケジュールを前記表示手段に表示するスキンケア装置使用スケジュール表示手段を儲えていることを特徴とする請求項1に記載の肌状態測定分析情報管理システム。
　【請求項３】
　前記肌状態測定装置が、カメラと肌を接写するコンバージョンレンズとを備え、
　前記送受信手段を有する前記ユーザークライアントに前記カメラを内蔵させた携帯端末を有し、
　前記カメラが前記携帯端末内部で前記送受信手段とデータの送受信が行えるように接続されていることを特徴とする請求項１または請求項２に記載の肌状態測定分析情報管理システム。
　【請求項４】
　前記測定データ用データベースには、前記分析結果データが前記顧客ＩＤに互いに関連付けられて、当該分析結果データの前記取得時期に基づいた前記時系列に応じたデータとして登録されていることを特徴とする請求項１から請求項３のいずれか１項に記載の肌状態測定分析情報管理システム。
　【請求項５】
　前記ユーザーデータ用データベースには、前記ユーザークライアントから入力されるとともに前記肌状態測定装置の前記ユーザーが使用している化粧品を特定可能な化粧品データが当該化粧品の使用時期と前記ユーザークライアントから入力された前記顧客ＩＤとに関連付けて前記付帯情報として登録され、
　前記ユーザークライアントは、前記測定データ用データベースおよび前記ユーザーデータ用データベースから前記ユーザークライアントから入力された前記顧客ＩＤに関連付けられた前記分析結果データおよび前記化粧品データを、前記分析結果データの前記取得時期と、前記化粧品の前記使用時期とに対応して検索可能とされ、
　かつ、検索された前記取得時期に関連付けられている前記分析結果データと、前記取得時期と同じ時期となる前記使用時期に関連付けられている前記化粧品データとを並列に表示可能とされることを特徴とする請求項４に記載の肌状態測定分析情報管理システム。
　【請求項６】
　前記分析結果データと、前記取得時期と同じ時期となる前記使用時期に関連付けられている前記化粧品データとを並列に表示可能とされ、
　前記ユーザーに選択される期間内に含まれる前記取得時期の前記分析結果データを前記取得時期の前記時系列に並べて表示する際に、当該分析結果データの前記時系列に沿った変化の経緯を認識可能な時系列表示と、前記ユーザーに選択される複数の前記取得時期の前記分析結果データを同時に表示することにより、前記取得時期による前記分析結果データの違いを比較可能な比較表示とのうちの少なくとも一方の表示が可能になっていることを特徴とする請求項５に記載の肌状態測定分析情報管理システム。
　【請求項７】
　前記分析結果出力手段は、前記測定データを分析することにより前記分析結果データを求めて当該分析結果出力手段に入力された状態とする分析手段を有することを特徴とする請求項１から請求項６のいずれか１項に記載の肌状態測定分析情報管理システム。
　【請求項８】
　ユーザーにより使用される肌状態測定装置およびスキンケア装置とデータの送受信が行えるように有線または無線で接続されるとともに、ネットワークに接続してデータの送受信を行う送受信手段と表示手段とを備えたユーザークライアントと、
　前記ユーザークライアントに対して前記ネットワークを介してデータの送受信が可能にされ、前記ユーザーに関連する情報を前記ユーザー毎に重複の無い一意の顧客ＩＤに関連付けて記憶するデータ管理サーバと、
　前記肌状態測定装置により測定された測定データを分析することにより得られる肌状態の分析結果データが入力され、当該分析結果データを前記ユーザークライアントで表示可能に出力する分析結果出力手段と、
　を備える肌状態測定分析情報管理システムで行われる肌状態測定分析情報管理方法であって、
　前記データ管理サーバは、
　複数の各ユーザークライアントから受信した前記ユーザーの個人の特定につながる個人情報と前記ユーザーの個人情報を除いた付帯情報を含み、前記顧客ＩＤに関連付けられたユーザーデータが登録されるユーザーデータ用データベースと、
　前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベースと、
　を備えるとともに、
　前記ユーザークライアントからの閲覧要求に基づき、前記測定データ用データベースまたは前記ユーザーデータ用データベースに登録されるとともに、前記ユーザークライアントの前記顧客ＩＤに関連付けられたデータを、前記ユーザークライアントに送信するデータ閲覧用データ送信ステップと、
　前記分析結果出力手段から得られた前記肌状態の分析結果データに基づいて前記スキンケア装置の制御方法を決定するスキンケア装置制御方法決定ステップと、
　を実行し、
　　前記ユーザークライアントは、
　前記ユーザーにより入力されるとともに前記個人情報と前記付帯情報を含むユーザーデータを前記データ管理サーバに送信するユーザーデータ送信ステップと、
　前記肌状態測定装置により測定された前記ユーザーの前記測定データが当該肌状態測定装置から入力された場合に、入力された前記測定データを前記データ管理サーバに送信する測定データ送信ステップと、
　前記測定データに対する前記分析結果データが前記分析結果出力手段から入力された場合に前記分析結果データを表示する分析結果表示ステップと、
　前記測定データ用データベースまたは前記ユーザーデータ用データベースから前記顧客ＩＤに関連付けて記憶された各データの送信を要求するデータ閲覧要求手段と、
　前記データ閲覧要求手段により要求したデータを前記データ管理サーバから受信した場合に、送信されたデータを表示するデータ表示ステップとを実行し、
　前記スキンケア装置は、前記スキンケア装置制御方法決定ステップにより決定された制御方法に基づいて制御されることを特徴とする肌状態測定分析情報管理方法。
　【請求項９】
　前記データ管理サーバは、
　前記分析結果出力手段から得られた前記肌状態の分析結果デー夕に基づいて前記スキンケア装置の推奨される使用スケジュールを決定するスキンケア装置使用スケジュール決定ステップを実行し、
　前記ユーザークライアントは、
　前記スキンケア装置使用スケジュール決定ステップにより決定された前記スキンケア装置の推奨される使用スケジュールを前記表示手段に表示するスキンケア装置使用スケジュール表示ステップを実行することを特徴とする請求項８に記載の肌状態測定分析情報管理方法。
　【請求項１０】
　前記肌状態測定装置が、カメラと肌を接写するコンバージョンレンズとを備え、
　前記送受信手段を有する前記ユーザークライアントに前記カメラを内蔵させた携帯端末を有し、
　前記カメラが前記携帯端末内部で前記送受信手段とデータの送受信が行えるように接続されていることを特徴とする請求項８または請求項９に記載の肌状態測定分析情報管理方法。
　【請求項１１】
　前記測定データ用データベースには、前記分析結果データが前記顧客ＩＤに互いに関連付けられて、当該分析結果データの前記取得時期に基づいた前記時系列に応じたデータとして登録されていることを特徴とする請求項８から請求項１０のいずれか１項に記載の肌状態測定分析情報管理方法。
　【請求項１２】
　前記ユーザーデータ用データベースには、前記ユーザークライアントから入力されるとともに前記肌状態測定装置の前記ユーザーが使用している化粧品を特定可能な化粧品データが当該化粧品の使用時期と前記ユーザークライアントから入力された前記顧客ＩＤとに関連付けて前記付帯情報として登録され、
　前記ユーザークライアントは、前記測定データ用データベースおよび前記ユーザーデータ用データベースから前記ユーザークライアントから入力された前記顧客ＩＤに関連付けられた前記分析結果データおよび前記化粧品データを、前記分析結果データの前記取得時期と、前記化粧品の前記使用時期とに対応して検索可能とされ、
　かつ、検索された前記取得時期に関連付けられている前記分析結果データと、前記取得時期と同じ時期となる前記使用時期に関連付けられている前記化粧品データとを並列に表示可能とされることを特徴とする請求項１１に記載の肌状態測定分析情報管理方法。
　【請求項１３】
　前記分析結果データと、前記取得時期と同じ時期となる前記使用時期に関連付けられている前記化粧品データとを並列に表示可能とされ、
　前記ユーザーに選択される期間内に含まれる前記取得時期の前記分析結果データを前記取得時期の前記時系列に並べて表示する際に、当該分析結果データの前記時系列に沿った変化の経緯を認識可能な時系列表示と、前記ユーザーに選択される複数の前記取得時期の前記分析結果データを同時に表示することにより、前記取得時期による前記分析結果データの違いを比較可能な比較表示とのうちの少なくとも一方の表示が可能になっていることを特徴とする請求項１２に記載の肌状態測定分析情報管理方法。
　【請求項１４】
　前記分析結果出力手段は、前記測定データを分析することにより前記分析結果データを求めて当該分析結果出力手段に入力された状態とする分析ステップを実行することを特徴とする請求項８から請求項１３のいずれか１項に記載の肌状態測定分析情報管理方法。」
第３　無効理由 
　請求人が主張する無効理由は、以下のとおりである。
  
　無効理由１　特許法第２９条第２項（特許法第１２３条第１項第２号）
 　　　　　　（甲１号証を主引例とする進歩性欠如）
  
　無効理由２　特許法第２９条第２項（特許法第１２３条第１項第２号）
 　　　　　　（甲２号証を主引例とする進歩性欠如）
第４　請求人の証拠方法と主張
１　証拠方法 
　請求人は、証拠方法として、審判請求書とともに以下の甲第１乃至８号証を、また、口頭審理陳述要領書とともに以下の甲第９乃至１１号証を提出した。
　甲第１号証　：特開２００９−１５３５４４号公報
　甲第２号証　：特開２００５−５６１６５号公報
　甲第３号証　：特開２００６−２０２０６９号公報
　甲第４号証　：特開２００７−３１０６５２号公報
　甲第５号証　：特開２００９−１１２３３８号公報
　甲第６号証　：特開２００９−１２５３６５号公報
　甲第７号証　：特開２００５−１９２９４４号公報
　甲第８号証　：特開２００３−９１５８３号公報
　甲第９号証　：特開２００２−１３２７９４号公報
　甲第１０号証：特開２００２−２０７８２７号公報
　甲第１１号証：特開２００１−３３８１８７号公報
２　請求の趣旨及び主張の概要
（１）請求の趣旨
　請求人の請求の趣旨は、「特許第６１７４７２５号発明の特許請求の範囲の請求項１ないし請求項１４に記載された発明についての特許を無効とする。審判費用は被請求人の負担とする、との審決を求める。」というものである。
  
（２）主張の概要
（２−１）無効理由１（甲第１号証を主引例とする進歩性欠如）
ア　本件発明１について
＜甲第１号証に記載された発明との一致点＞
　甲第１号証に記載された発明（以下、「甲１発明」という。）における『携帯電話ＨＰ』又は『表示装置』は、本件発明１における「ユーザークライアント」に相当する。（審判請求書第２９頁、請求人の口頭審理陳述要領書第３頁、第１回口頭審理調書）
　甲１発明における『センターサーバ１０１』または『ネットアダプタ５４』は、本件発明１における「データ管理サーバ」に相当し、甲１発明における『肌状態検出装置Ａ』は、本件発明１における「分析結果出力手段」に相当する。（審判請求書第２９頁）
　甲１発明における『肌状態改善部Ｂ』は、本件発明１における「スキンケア装置」に相当する。（審判請求書第２９頁、請求人の口頭審理陳述要領書第３頁）
　甲１発明における『水分量』、『弾力性』等は、本件発明１における「測定データ」に相当し、甲１発明における『皮脂量』または『測定データと標準値とを比較するグラフ等』は、本件発明１における「分析結果データ」に相当する。（審判請求書第２９頁）
＜甲１発明との相違点＞
　「甲１発明においては、個人情報と付帯情報とを一意の顧客ＩＤを用いてデータベースで管理し、肌測定データを時系列に記憶する点を行っているか否かが明らかでない。」（審判請求書第２９頁）
＜容易想到性＞
　「甲第２号証には、個人情報と付帯情報とを一意の会員ＩＤ（顧客ＩＤに相当）を用いてデータベースで管理し、肌測定データを時系列に記憶することが記載されている。
　甲１発明および甲２発明は、ともに、ユーザ端末側において肌状態を測定し、測定した情報をサーバに送信し、サーバにて情報の管理を行い、必要に応じてユーザ端末側に情報を提供することによって、肌状態を管理するためのものであるから、本件特許発明１と同一の技術分野に属する。また、本件特許発明１と甲１発明とは、測定された肌状態に応じてスキンケア装置を制御するという課題が共通する。
　ここで、測定したユーザーの肌状態についての情報や肌状態に対応するアドバイス情報を、ユーザーに関する他の情報とともに記憶・管理すべく、データベースを設けることは、甲第３号証においても示されているように、周知技術ないし単なる設計事項である。
　従って、甲１発明に甲２発明等の周知技術を適宜組み合わせることは当業者が容易に想到できる。また、このような組み合わせを行うことで何ら格別な効果が生じるわけでもない。
　従って、本件特許発明１は、甲第１号証および甲第２号証等の周知技術に基づいて容易になし得たものである。」（審判請求書第３０頁）
　甲２発明は周知技術である。具体的には、肌の状態など、健康ないし美容に関するユーザーの身体の状態を測定する装置と、当該装置から測定結果を収集して管理するサーバやデータベースとをネットワークを介して接続し、ユーザーからの要求に応じて測定結果に基づいて得られた情報ないしアドバイスを当該サーバからユーザー端末に提供することは、甲第２号証以外にも、例えば、甲第３号証の要約書、甲第４号証の要約書および明細書段落０００８、甲第８号証の要約書、甲第１１号証の要約書等に開示されているにように、周知技術である。（請求人の口頭審理陳述要領書第２頁）
イ　本件発明２について
　本件特許発明２は、本件特許発明１に加えて、以下の点を有する。
・前記データ管理サーバは、前記分析結果出力手段から得られた前記肌状態の分析結果デー夕に基づいて前記スキンケア装置の推奨される使用スケジュールを決定するスキンケア装置使用スケジュール決定手段を備える点
・前記ユーザークライアントは、前記スキンケア装置使用スケジュール決定手段により決定された前記スキンケア装置の推奨される使用スケジュールを前記表示手段に表示するスキンケア装置使用スケジュール表示手段を設けている点
　甲第４号証（特開２００７−３１０６５２号公報）には、サーバーと顧客側端末装置（美顔器）とをネットワークで接続し、肌状態の測定結果に基づく美顔器の推奨する制御内容や設定情報をサーバーにて生成し、美顔器において、この制御内容に基づいた制御プログラムに従って自動制御を行うとともに当該設定情報を表示することが記載されている。そして、制御プログラムによって規定される動作内容には作動時間に関る情報が含まれることが記載されている。
　ここで、本件特許発明２における「使用スケジュール」とは、スキンケア装置の作動時間（作動タイミング）を規定したものに他ならないから、スキンケア装置の制御内容として、作動時間を規定することと使用スケジュールを規定することとは、技術的な意味において実質的に同一である。仮に、「スケジュール」が所定の期間における複数の作動時間帯を規定した情報であるというような解釈をとったとしても、そのような情報はスキンケア装置を作動させる時間を規定しているものであることには変わりはなく、どのようなタイミングで作動させるかを規定することは設計事項の範疇である。
　そして、甲４発明の技術分野は、甲１発明や甲２発明の技術分野と同一である。
　よって、甲第４号証の記載事項を甲１発明ないし甲２発明に適用して本件特許発明２とすることは、容易に想到し得るものである。また、このような組み合わせの適用によって、何ら格別な効果が生じるわけでもない。（審判請求書第３１〜３２頁、請求人の口頭審理陳述要領書第８頁）
ウ　本件発明３について
　本件特許発明３は、本件特許発明１または本件特許発明２に加えて、以下の点を有する。
・肌状態測定装置が、カメラと肌を接写するコンバージョンレンズとを備える点
・送受信手段を有するユーザークライアントに前記カメラを内蔵させた携帯端末を有し、前記カメラが前記携帯端末内部で前記送受信手段とデータの送受信が行えるように接続されている点
　甲第７号証（特開２００５−１９２９４４号公報）には、カメラを有する携帯端末を用いて肌状態を測定する装置において、肌を接写するためのレンズを用いることが記載されている（段落【００８９】および【図７】）。また、甲１発明または甲２発明において、撮影対象が肌である場合に応じて、甲第７号証に記載のように、携帯端末およびレンズ等のアダプタを用いることは、撮影の対象や目的に応じて適宜なし得ることにすぎない。また、そのようにすることで得られる特段の効果も存在しない。
　よって、本件特許発明３は、甲７発明に基づいて当業者が容易になし得たものである。（審判請求書第３２頁、請求人の口頭審理陳述要領書第８頁）
エ　本件発明４について
「本件特許発明４は、本件特許発明１〜３において、さらに以下の特徴を有する。
・前記測定データ用データベースには、前記分析結果データが前記顧客ＩＤに互いに関連付けられて、当該分析結果データの前記取得時期に基づいた前記時系列に応じたデータとして登録されている点
　甲第２号証（特開２００５−０５６１６５号公報）には、肌測定データを、使用者の会員ＩＤ別に、時系列に記憶することが記載されている。加えて、ユーザーを識別するためのＩＤを導入することや、時間情報を内包するデータを記憶しソートすることは、一般的な情報処理の分野において周知慣用されている技術である。また、このような周知慣用技術を甲１発明や甲２発明等と組み合わせることによって生じる効果は自明なものである。このように、本件特許発明４は、周知慣用技術の単なる付加にすぎず、容易になし得る。」（審判請求書第３２頁）
オ　本件発明５について
「本件特許発明５は、本件特許発明１〜４に加え、以下の特徴を有する。
・前記ユーザーデータ用データベースには、前記ユーザークライアントから入力されるとともに前記肌状態測定装置の前記ユーザーが使用している化粧品を特定可能な化粧品データが当該化粧品の使用時期と前記ユーザークライアントから入力された前記顧客ＩＤとに関連付けて前記付帯情報として登録される点
・前記ユーザークライアントは、前記測定データ用データベースおよび前記ユーザーデータ用データベースから前記ユーザークライアントから入力された前記顧客ＩＤに関連付けられた前記分析結果データおよび前記化粧品データを、前記分析結果データの前記取得時期と、前記化粧品の前記使用時期とに対応して検索可能とされる点
・検索された前記取得時期に関連付けられている前記分析結果データと、前記取得時期と同じ時期となる前記使用時期に関連付けられている前記化粧品データとが並列に表示可能とされる点
　甲第３号証（特開２００６−２０２０６９号公報）や甲第８号証（特開２００３−０９１５８３号公報）には、ユーザーが使用している化粧品の購買履歴（「使用時期」に相当）を取得し、肌状態に関するデータに対応付けて記憶し、適宜提供することが記載されている。
　特に甲第８号証には、現在の肌状態と化粧品の購入履歴とが並列表示されている（図３）。
　ここで、化粧品についての使用に関する情報として、使用時期と取得時期のいずれかを選択するのは単なる設計事項である。また、使用時期（取得時期）を現在の肌状態と関連付けるのか購入時点の肌状態と関連付けるのかは、単なる設計事項である。要するに、甲８発明は、肌状態と化粧品との関係を同画面で表示するという点で本件特許発明５と本質的に差異がない。
　よって、本件特許発明５は、甲第３号証および甲第８号証の記載に基づいて容易になし得る。」（審判請求書第３３頁）
カ　本件発明６について
「本件特許発明６は、本件特許発明１〜５に加えて、以下の特徴を有する。
・前記分析結果データと、前記取得時期と同じ時期となる前記使用時期に関連付けられている前記化粧品データとを並列に表示可能とされる点
・前記ユーザーに選択される期間内に含まれる前記取得時期の前記分析結果データを前記取得時期の前記時系列に並べて表示する際に、当該分析結果データの前記時系列に沿った変化の経緯を認識可能な時系列表示と、前記ユーザーに選択される複数の前記取得時期の前記分析結果データを同時に表示することにより、前記取得時期による前記分析結果データの違いを比較可能な比較表示とのうちの少なくとも一方の表示が可能になっている点
　肌状態の分析結果と、取得時期または使用時期とを並列に表示する点は、上述の通り、甲第８号証に記載されている。
　また、取得時点が異なる複数の情報を時系列表示とするのか比較表示とするのかは、周知技術を示す甲第９号証（特開２００２−１３２７９４号）にあるように、情報処理一般の技術分野において、閲覧目的等に応じて適宜設計する事項にすぎない。
　よって、本件特許発明６は、甲８発明に基づいて容易になし得る。」（審判請求書第３３〜３４頁、請求人の口頭審理陳述要領書第２頁）
キ　本件発明７について
「本件特許発明７は、本件特許発明１〜６に加え、以下の特徴を有する。
・前記分析結果出力手段は、前記測定データを分析することにより前記分析結果データを求めて当該分析結果出力手段に入力された状態とする分析手段を有する点
　甲第１号証（特開２００９−１５３５４４号公報）においては、測定データを分析することにより分析結果データが算出され、該算出されたデータが出力されることが記載されている（段落００５８、段落００５９）。すなわち、本件特許発明７は甲１発明と実質的に差異がなく、甲１発明に基づいて容易になし得る。」（審判請求書第３４頁）
ク　本件発明８について
　本件発明８は、本件発明１と実質的にカテゴリのみ異なる発明である。したがって、本件発明８は、本件発明１と同様の理由で当業者が容易になし得る。
ケ　本件発明９について
　本件発明９は、本件発明２と実質的にカテゴリのみ異なる発明である。したがって、本件発明９は、本件発明２と同様の理由で当業者が容易になし得る。
コ　本件発明１０について
　本件発明１０は、本件発明３と実質的にカテゴリのみ異なる発明である。したがって、本件発明１０は、本件発明３と同様の理由で当業者が容易になし得る。
サ　本件発明１１について
　本件発明１１は、本件発明４と実質的にカテゴリのみ異なる発明である。したがって、本件発明１１は、本件発明４と同様の理由で当業者が容易になし得る。
シ　本件発明１２について
　本件発明１２は、本件発明５と実質的にカテゴリのみ異なる発明である。したがって、本件発明１２は、本件発明５と同様の理由で当業者が容易になし得る。
ス　本件発明１３について
　本件発明１３は、本件発明６と実質的にカテゴリのみ異なる発明である。したがって、本件発明１３は、本件発明６と同様の理由で当業者が容易になし得る。
セ　本件発明１４について
　本件発明１４は、本件発明７と実質的にカテゴリのみ異なる発明である。したがって、本件発明１４は、本件発明７と同様の理由で当業者が容易になし得る。
（２−２）無効理由２（甲第２号証を主引例とする進歩性欠如）
ア　本件発明１について
＜甲第２号証に記載された発明との一致点＞
　甲第２号証に記載された発明（以下、「甲２発明」という。）における『ユーザ端末１０』は、本件発明１における「ユーザークライアント」に相当し、甲２発明における『業務委託先サーバ３０』は、本件発明１における「データ管理サーバ」に相当し、甲２発明における『肌センサユニット２０』は、本件発明１における「分析結果出力手段」に相当し、甲２発明における『肌データ』は、本件発明１における「測定データ」に相当し、甲２発明における『診断結果』は、本件発明１における「分析結果データ」に相当する。（審判請求書第３０頁）
＜甲２発明との相違点＞
　本件発明１と甲２発明とでは、スキンケア装置が、肌状態の測定や分析結果の提供を行う装置からなるシステムに接続され、分析結果に基づいてスキンケア装置が遠隔制御される点において相違する。（審判請求書第３０頁）
＜容易想到性＞
　「甲第１号証には、温スチームおよび冷ミストを放出するスキンケア装置（装置本体１）と、肌状態の測定を行う装置（Ａ）と、分析結果の提供を行う装置（センターサーバ１０１）とが相互に接続されたシステムにおいて、分析結果に基づいてスキンケア装置を遠隔制御することが記載されている。
　ここで、スキンケア装置等、美容ないし健康増進に関する装置を、ネットワークを介して制御することは、甲第４号証、甲第５号証、甲第６号証に示されるように、周知・慣用技術である。さらに、装置の制御内容を肌状態に対応させるように構成することは、甲第４号証にも記載されているように、周知技術である。
　そして、上述の通り、甲１発明および甲２発明は、本件特許発明１と同一の技術分野に属する。
　従って、甲２発明に甲１発明等の周知技術を適宜組み合わせることは、当業者が容易に想到なし得る。また、このような組み合わせを行うことによって、何ら格別な効果が生じるわけでもない。
　従って、本件特許発明１は、甲第２号証および甲第１号証等の周知技術に基づいて容易になし得たものである。」（審判請求書第３１頁）
　甲１発明は周知技術である。具体的には、健康美容機器を遠隔制御することや制御内容を当該機器に表示させることは、甲第１号証以外にも、例えば、甲第４号証の明細書段落００２５および００２７、甲第５号証の明細書段落０００５および００２８、甲第６号証の明細書段落００１７、甲第１０号証の明細書段落００５２にも記載されているように、周知技術である。（請求人の口頭審理陳述要領書第２頁）
イ　本件発明２乃至１４について
　本件発明２乃至１４について、請求項１に追加された構成に関しては、上記「（２−１）無効理由１（甲第１号証を主引例とする進歩性欠如）」における「イ」乃至「セ」と同様である。
第５　被請求人の主張
１　答弁の趣旨及び主張の概要 
（１）答弁の趣旨 
　被請求人の答弁の趣旨は、「「特許第６１７４７２５号の請求項１〜１４に係る発明に対する特許無効審判請求は理由がない。審判費用は請求人の負担とする。」との審決を求める。」というものである。
 
（２）主張の概要 
（２−１）無効理由１（甲第１号証を主引例とする進歩性欠如）について
＜請求人の主張に対する反論＞
ア　「まず、請求人は、「甲１発明における「携帯電話ＨＰ」、または「ネットアダプタ５４」と「表示装置５２」とを組み合わせた構成は、本件特許発明１における「ユーザークライアント」に相当する」と主張している。
　しかし、甲１発明における「携帯電話ＨＰ」は、請求人が本件特許発明１の「スキンケア装置」に相当すると主張する「肌状態改善部Ｂ」と接続されるものではない。また、甲第１号証には、「携帯電話ＨＰ」と「肌状態改善部Ｂ」とを接続することについて、記載はおろか示唆すらない。
　また、甲１発明において、「ネットアダプタ５４」と「表示装置５２」との間に接続関係は無い。さらには、「ネットアダプタ５４」と「表示装置５２」とを組み合わせる動機付けもない。
　すなわち、甲１発明は、「ユーザーにより使用される肌状態測定装置およびスキンケア装置とデータの送受信が行えるように有線または無線で接続されるとともに、ネットワークに接続してデータの送受信を行う送受信手段と表示手段とを備えたユーザークライアント」という本件特許発明１の構成要素Ａを備えておらず、また、甲１発明に基づいて構成要素Ａに想到することも到底不可能である。また、甲第２号証および甲第３号証には、スキンケア装置に関する記載がない。したがって、本件特許発明１は、甲第１号証ならびに甲第２号証および甲第３号証に基づき容易に想到し得るものではない。」（審判事件答弁書第１３頁）
イ　「また、請求人は、「甲１発明における「皮脂量」または「測定データと標準値とを比較するグラフ等」は、本件特許発明１における「分析結果データ」に相当する」と主張している。
　しかし、「皮脂量」は、皮脂量センサ２５によって測定される測定データであって、本件特許発明１における分析結果データではない。このことは、仮に「皮脂量」が分析結果データであると考えた場合に測定データに相当するものが存在しないことや、甲第１号証の請求項４〜６や明細書の記載において水分量と弾力性と皮脂量との間に差異がないことからも明らかである。
　また、「測定データと標準値とを比較するグラフ」が本件特許発明１の分析結果データであるとするならば、請求人が本件特許発明１の「スキンケア装置」に相当すると主張する「肌状態改善部Ｂ」の制御方法は「測定データと標準値とを比較するグラフ」に基づいて決定されることになると思われるが、このようになっておらず、また、甲第１号証の記載からはこのようなグラフに基づいて制御方法を決定する方法についても一切不明である。したがって、「測定データと標準値とを比較するグラフ」は、本件特許発明１における分析結果データではない。」（審判事件答弁書第１３〜１４頁）
ウ　また、請求人は、「甲１発明における「肌状態検出装置Ａ」は、本件特許発明１における「分析結果出力手段」に相当する」と主張している。
　しかし、上述したように、分析結果データに関する請求人の主張は失当であるため、「肌状態検出装置Ａ」が「分析結果出力手段」に相当するとの主張もその前提を欠き妥当ではない。すなわち、甲第１号証に本件特許発明１の「測定データを分析することにより得られる分析結果データ」に相当するものが無い以上、「分析結果データ」を前提とする「分析結果出力手段」、さらには「スキンケア装置制御方法決定手段」、「分析結果表示手段」、「スキンケア装置」等の本件特許発明１の各構成が甲第１号証に開示されているとはいえない。換言すると、甲１発明は、請求人自らが甲第１号証に記載が無いと認める本件特許発明１の構成要素ｂ１、ｂ２、ｂ３、ａ１に加え、本件特許発明１の構成要素Ｃ、ｂ４、ａ３、Ｄを備えていない。したがって、甲１発明に甲第２号証または甲第３号証に周知技術として記載されていると請求人が主張する事項を仮に組み合わせたところで、本件特許発明１には到底想到し得ない。（審判事件答弁書第１４頁）
エ　「以上のように、請求人が本件特許発明１の各構成に相当すると指摘する甲１発明の各構成は、本件特許発明１の各構成とは全く異なるものであり、甲１発明は少なくとも本件特許発明１の構成要素ｂ１、ｂ２、ｂ３、ａ１に加え、Ａ、Ｃ、ｂ４、ａ３、Ｄを備えていない。したがって、甲１発明に甲第２号証または甲第３号証に記載の技術を適用したところで、本件特許発明１には到底想到し得ない。」（審判事件答弁書第１４〜１５頁）
（２−２）無効理由２（甲第２号証を主引例とする進歩性欠如）について
＜請求人の主張に対する反論＞
ア　上述のように、甲第２号証には、スキンケア装置について記載が一切無い。また、甲２発明は、肌を診断するためのシステムであって、販売店が推奨商品をユーザーに知らせたりするために使用するものであり、スキンケア（肌の手入れ）をするためのシステムではない。そして、このようなスキンケアに使われるシステムでもない甲２発明において、スキンケア装置を接続したり制御可能としたりする動機付けは全くない。ましてや、分析結果データに基づいてスキンケア装置の制御方法を決定するようにすることなど到底想到し得ない。
　すなわち、甲２発明について、スキンケア装置を採用することは容易ではない。
　また、仮に甲２発明にスキンケア装置を接続することを思いついたとしても、どのような接続関係とするか、あるいはスキンケア装置をどのように制御するのかについて、甲第２号証には記載はおろか示唆すらない。加えて、上述したように、請求人の主張する甲１発明と本件特許発明１との対比も失当であるから、甲１発明には、スキンケア装置が接続される本件特許発明１の構成要素Ａで示されるユーザークライアントや、分析結果データに基づくスキンケア装置の制御の開示があるとはいえない。さらに、「スキンケア装置等、美容ないし健康増進に関する装置を、ネットワークを介して制御することは、甲第４号証、甲第５号証、甲第６号証に示されるように、周知・慣用技術である。」と請求人は主張しているが、ネットワークを介して何らかの装置を制御することが周知・慣用技術であったとしても、具体的にどのような装置を、どのような接続関係とし、どのようなデータに基づいて制御するのかが重要なのであり、構成が互いに全く異なる甲４発明、甲５発明および甲６発明から主張可能な周知・慣用技術があったとしても、このような技術は本件特許発明１の進歩性を否定する証拠とはなり得ない。したがって、甲２発明に甲１発明等を適用したところで本件特許発明１に想到し得ないことは明らかである。（審判事件答弁書第１６〜１７頁）
イ　「また、請求人は、「甲２発明における「肌センサユニット２０」は、本件特許発明１における「分析結果出力手段」に相当する。」、「甲２発明における「診断結果」は、本件特許発明１における「分析結果データ」に相当する。」と主張している。
　しかし、請求人が「分析結果出力手段」に相当すると指摘する「肌センサユニット２０」は、請求人が「分析結果データ」に相当すると指摘する「診断結果」を扱うものではない。
　すなわち、請求人の主張する対比関係は矛盾している。換言すると、請求人が本件特許発明１の構成に相当すると指摘する甲２発明の構成は、本件特許発明１の構成とは全く異なるものである。したがって、甲２発明に、甲１、４、５、６号証に記載の技術を適用したところで、本件特許発明１には到底想到し得ない。」（審判事件答弁書第１７頁）
第６　無効理由に対する当審の判断 
１　各甲号証の記載事項
（１）甲第１号証
　甲第１号証には、次の事項が記載されている。なお、下線は当審において付加したものである。
ア　「【００４２】
    （実施形態２）
　
図７は本発明に係る肌状態改善システムの概略構成を示し、個人の住宅Ｘにおいてイーサネット（登録商標）によりＬＡＮ２０１が構築され、当該ＬＡＮ２０１が住宅盤５３内に収納された情報ブレーカと呼ばれるセキュリティ機器５３ａを介してＷＡＮを構成するインターネット２０２に接続されている
【００４３】
　一方、様々な機器を用いた各種の健康プログラムを提供する事業者Ｙには、使用者が自宅で所望の健康管理プログラムを実行できるようにする後述の健康管理サービスを提供するためのセンターサーバ１０１と、健康管理プログラムの実践内容を示す動画を配信するための映像配信サーバ１０２が設置されている。ここにおいて、
事業者Ｙ側のセンターサーバ１０１および映像配信サーバ１０２と、インターネット２０２と、事業者Ｙが提供する健康管理サービスを利用する住宅Ｘ内のＬＡＮ２０１と、住宅Ｘ内に設置された肌状態検出装置Ａおよび肌状態改善部Ｂ、表示装置５２などで本システムが構成される
【００４４】
　肌状態検出装置Ａは、実施形態１と同様に構成されるが、通信部２２が赤外線通信機能の代わりにBluetoothまたは特定小電力無線を用いた通信機能を備えている（図５参照）。
【００４５】
　肌状態改善部Ｂは、図８に示すように、実施形態１と同様に装置本体１に設けられるが、制御部Ｃの代わりに、Bluetoothまたは特定小電力無線を用いた通信機能を備えた通信部３０を備えた点が異なる。
【００４６】
　そして、
制御部Ｃは、センターサーバ１０１内に設けられており、肌状態検出装置Ａ、肌状態改善部Ｂとは、ＬＡＮ２０１、インターネット２０２のネットワークを介して通信行う
【００４７】
　
表示装置５２は
インターネット２０２およびＬＡＮ２０１を介して映像配信サーバ１０２から配信された映像を画面５２ｂ上に表示するとともに、音声を内蔵スピーカ（図示せず）から出力する
【００４８】
　住宅盤５３は、主幹開閉器および分岐開閉器を内蔵して、宅内の分岐回路に電力を供給するとともに、宅内のＬＡＮ２０１に接続されるセキュリティ機器５３ａが図示しないルータを介してインターネット２０２に接続されている。
【００４９】
　
ネットアダプタ５４は、ＬＡＮケーブル２０３を介してセキュリティ機器５３ａに接続されるとともに、Bluetoothまたは特定小電力無線を利用して肌状態検出装置Ａおよび肌状態改善部Ｂとの間で無線電波によって通信を行うものである
肌状態検出装置Ａから、送信元および送信先のＩＤを含む無線電波が送信され、この無線電波をネットアダプタ５４が受信すると
送信先のＩＤが示すネットワーク機器（表示装置５２やセンターサーバ１０１など）へ信号を送信する
ネットワーク機器（センターサーバ１０１など）から送信先として肌状態改善部Ｂが設定された信号が送信されると
送信先の肌状態改善部Ｂへ無線電波を送信する
【００５０】
　本システムでは、表示装置５２が、ＬＡＮケーブル２０３を介してセキュリティ機器５３ａに接続されており、インターネット２０２およびＬＡＮ２０１を介して映像配信サーバ１０２から配信された映像を画面５２ｂ上に表示したり、センターサーバ１０１から送信された映像信号や音声信号を出力することができる。また、肌状態検出装置Ａ、肌状態改善部Ｂ、制御部Ｃはそれぞれネットアダプタ５４を介してＬＡＮ２０１に接続されており、ＬＡＮ２０１およびインターネット２０２を介してセンターサーバ１０１に接続されるので、センターサーバ１０１との間でデータの送受信が行えるようになっている。なお、肌状態検出装置Ａ、肌状態改善部Ｂ、表示装置５２、ネットアダプタ５４にはそれぞれ個別のローカルＩＰアドレスが割り当てられており、センターサーバ１０１（および制御部Ｃ）と各機器との間で相互に通信が行えるようになっている。
【００５１】
　ここで、本システムにより事業者Ｂが提供する健康管理サービスの１つである肌状態の改善サービスを住宅Ｘ内の利用者が利用する場合について以下に説明する。
【００５２】
　まず、
使用者は、肌状態検出装置Ａによって肌の水分量を測定し、当該測定データを無線電波でネットアダプタ５４へ送信し、ネットアダプタ５４からＬＡＮ２０１、インターネット２０２を介してセンターサーバ１０１内の制御部Ｃへ送信される
【００５３】
　
制御部Ｃは、受信した測定データに基づいて
肌の水分量が所定値以上の場合は標準パターンで温スチームと冷ミストを交互に切り換えて放出させる標準制御信号を生成し、肌の水分量が所定値未満の場合は、標準パターンより温スチームの時間が長い水分補給パターンで温スチームと冷ミストを交互に切り換えて放出させる水分補給制御信号を生成して、ＬＡＮ２０１、インターネット２０２からネットアダプタ５４を介して肌状態改善部Ｂへ送信する
【００５４】
　
肌状態改善部Ｂは、受信した制御信号に応じて、標準パターンまたは水分補給パターンのいずれかで温スチームと冷ミストを交互に切り換えて放出するので、使用者の肌の水分量を考慮した動作となる
【００５５】
　このように、制御部Ｃは、肌状態検出装置Ａによって検出した使用者の実際の肌の水分量に基づいて肌状態改善部Ｂの稼動を制御するので、肌の水分量を考慮して肌状態を容易に改善させることができる。」
イ　「【００６０】
　また上記同様に、
使用者がリモコン装置５２ａを用いてセンターサーバ１０１にアクセスさせる操作を行うことで表示装置５２の画面５２ｂ上に表示されるＷｅｂページには、使用者の肌の測定データの履歴や、測定データと標準値とを比較するグラフ等を提供するサービスを選択する選択ボタンもある
この選択ボタンを選択する操作をリモコン装置５２ａにより行うことで、測定データの履歴や、測定データと標準値とを比較するグラフ等の画像データがセンターサーバ１０１から表示装置５２に送信され、画面５２ｂ上に表示される
【００６１】
　また、ネットアダプタ５４（図７参照）が、肌状態検出装置Ａから送信された肌状態の測定データをもとに制御信号を生成する制御部Ｃを備えて、肌状態改善部Ｂへ制御信号を送信してもよい。このようにネットアダプタ５４が肌状態の測定データをもとに制御信号を生成する構成では、装置本体１で制御信号を生成する場合に比べて演算の処理能力の面で有利であり、さらにセンターサーバ１０１で制御信号を生成する場合に比べて制御信号を肌状態改善部Ｂへ送信して稼動を制御する即時性の面で有利である。
【００６２】
　また本実施形態では、肌状態検出装置Ａとネットアダプタ５４との間で電波通信を行い、ネットアダプタ５４からＬＡＮ２０１およびインターネット２０２を介してセンターサーバ１０１へデータを送信しているが、
Bluetoothまたは特定小電力無線を用いた通信機能を備えた携帯電話ＨＰを用いて肌状態検出装置Ａから測定データを取り込むとともに、携帯電話ＨＰから携帯電話網およびインターネットを介してセンターサーバ１０１へ測定データを送信するようにしても良い
【００６３】
　また
上述の表示装置として、Bluetoothまたは特定小電力無線を用いた通信機能を備えた携帯電話ＨＰを用いても良い
この場合、センターサーバ１０１からのＷｅｂページや、映像配信サーバ１０２からの動画を携帯電話ＨＰのディスプレイ上に表示させる
　上記ア乃至イによると、甲第１号証には、次の発明（以下、「甲１発明」という。）が記載されていると認められる。
＜甲１発明＞
「肌状態改善システムであって、
　個人の住宅ＸにおいてＬＡＮ２０１が構築され、当該ＬＡＮ２０１が住宅盤５３内に収納された情報ブレーカと呼ばれるセキュリティ機器５３ａを介してＷＡＮを構成するインターネット２０２に接続されており（【００４２】）、
　事業者Ｙ側のセンターサーバ１０１および映像配信サーバ１０２と、インターネット２０２と、事業者Ｙが提供する健康管理サービスを利用する住宅Ｘ内のＬＡＮ２０１と、住宅Ｘ内に設置された肌状態検出装置Ａおよび肌状態改善部Ｂ、表示装置５２などで本システムが構成されており（【００４３】）、
　前記センターサーバ１０１内に設けられた制御部Ｃは、肌状態検出装置Ａ、肌状態改善部Ｂとは、ＬＡＮ２０１、インターネット２０２のネットワークを介して通信行い（【００４６】）、
　前記表示装置５２は、インターネット２０２およびＬＡＮ２０１を介して映像配信サーバ１０２から配信された映像を画面５２ｂ上に表示し（【００４７】）、
　ＬＡＮケーブル２０３を介してセキュリティ機器５３ａに接続されたネットアダプタ５４は、Bluetoothまたは特定小電力無線を利用して肌状態検出装置Ａおよび肌状態改善部Ｂとの間で無線電波によって通信を行い、肌状態検出装置Ａから、送信元および送信先のＩＤを含む無線電波を受信すると、送信先のＩＤが示すネットワーク機器（表示装置５２やセンターサーバ１０１など）へ信号を送信し、
ネットワーク機器（センターサーバ１０１など）から送信先として肌状態改善部Ｂが設定された信号が送信されると、肌状態改善部Ｂへ無線電波を送信する
　使用者が、肌状態検出装置Ａによって肌の水分量を測定し、当該測定データが無線電波でネットアダプタ５４へ送信され、ネットアダプタ５４からＬＡＮ２０１、インターネット２０２を介してセンターサーバ１０１内の制御部Ｃへ送信されると（【００５２】）、
　前記制御部Ｃは、受信した測定データに基づいて、肌の水分量が所定値以上の場合は標準パターンで温スチームと冷ミストを交互に切り換えて放出させる標準制御信号を生成し、肌の水分量が所定値未満の場合は、標準パターンより温スチームの時間が長い水分補給パターンで温スチームと冷ミストを交互に切り換えて放出させる水分補給制御信号を生成して、ＬＡＮ２０１、インターネット２０２からネットアダプタ５４を介して肌状態改善部Ｂへ送信し（【００５３】）、
　肌状態改善部Ｂは、受信した制御信号に応じて、標準パターンまたは水分補給パターンのいずれかで温スチームと冷ミストを交互に切り換えて放出して、使用者の肌の水分量を考慮した動作を行い（【００５３】）、
　また、使用者がリモコン装置５２ａを用いてセンターサーバ１０１にアクセスさせる操作を行うことで表示装置５２の画面５２ｂ上に表示されるＷｅｂページには、使用者の肌の測定データの履歴や、測定データと標準値とを比較するグラフ等を提供するサービスを選択する選択ボタンがあり、当該選択ボタンを選択する操作をリモコン装置５２ａにより行うことで、測定データの履歴や、測定データと標準値とを比較するグラフ等の画像データがセンターサーバ１０１から表示装置５２に送信され、画面５２ｂ上に表示される（【００６０】）
　肌状態改善システムであり、
　携帯電話ＨＰを用いて肌状態検出装置Ａから測定データを取り込むとともに、Bluetoothまたは特定小電力無線を用いた通信機能を備えた携帯電話ＨＰから携帯電話網およびインターネットを介してセンターサーバ１０１へ測定データを送信するようにしても良く（【００６２】）、
　また、上述の表示装置として、Bluetoothまたは特定小電力無線を用いた通信機能を備えた携帯電話ＨＰを用いても良く、この場合、センターサーバ１０１からのＷｅｂページや、映像配信サーバ１０２からの動画を携帯電話ＨＰのディスプレイ上に表示させる（【００６３】）、
　肌状態改善システム。」
（２）甲第２号証 
　甲第２号証には、次の事項が記載されている。なお、下線は当審において付加したものである。
ア　「【００２６】
　 図１は、本発明を実施するための最良の形態の構成を示す図であり、
ユーザ端末１０と、肌センサユニット２０と、業務委託先サーバ３０と、サービス提供業者端末４０と、アドバイザー端末５０と、販売店端末６０と、これらを相互に接続するインターネット１００とを備えている
イ　「【００２８】
　
肌センサユニット２０は、少なくとも一つ以上の肌センサを備えて肌の状態を検出する装置であり、ユーザ端末１０の外部機器接続部１２に接続して使用される
【００２９】
　業務委託先サーバ３０は、本発明の肌の診断サービスを提供するサービス提供業者から業務委託されたインターネット接続業者等の外部業者によって設置，運用される、サーバ・ワークステーション等の情報処理装置である。この
業務委託先サーバ３０は、制御部３１と、記憶部３２とを備えている
【００３０】
　制御部３１は、プログラムにより装置内全体の動作を制御するＣＰＵ等である。
この制御部３１は
ユーザ端末１０から受信した肌データにより診断し診断結果を登録する手段と
サービス提供業者端末４０またはアドバイザー端末５０から送信されたアドバイス情報を登録し診断結果とともにユーザ端末１０に送信する手段と
を備えている
【００３１】
　
記憶部３２は、
会員情報データベース３２１と
肌履歴データベース３２４と、肌基準値データベース３２５とを含んでいる
【００３２】
　
会員情報データベース３２１は、ユーザが本発明の肌の診断サービスの会員登録をするときに登録されるものであり
会員ＩＤ，パスワード，氏名，メールアドレス，紹介販売店の指定地域，決済情報が含まれている
ウ　「【００３５】
　
肌履歴データベース３２４には、
会員ＩＤ，年月日，肌データ格納アドレス，診断結果，アドバイス内容，アドバイザーＩＤが含まれている
診断毎のこれら情報が会員ＩＤ別に、年月日の順に時系列に記録される
また、肌データ格納アドレスの代わりに肌データとし、ここに直接肌データを格納するようにしてもよい
【００３６】
　
肌基準値データベース３２５には、ユーザ端末１０から送られる肌データが正常かを判断するための基準値データが格納されている
例えば、肌データとして水分データを例にとると、水分率３５％未満は×（異常）、３５％〜４２％は○（正常）、４２％超は×（異常）というように基準値が設定されている
【００３７】
　サービス提供業者端末４０は、本発明の肌の診断サービスを提供するサービス提供業者が使用する、パーソナルコンピュータ等の情報処理装置である。このサービス提供業者端末４０は、インターネット１００を介して業務委託先サーバ３０にアクセスし診断結果を閲覧する手段と、診断結果が正常な場合はアドバイス内容を登録する手段と、診断結果が正常でない場合はアドバイザーを指定して業務委託先サーバ３０にアドバイザーへの依頼要求を行う手段とを備えている。」
エ　「【００４３】
　図６を参照すると、
肌の健康状態を確認したいユーザは、ユーザ端末１０の外部機器接続部１２に肌センサユニット２０の接続部２２を接続する
接続後、肌センサユニット２０の肌センサ２３を確認したい部位に接触させる
これにより肌センサ２３は接触した皮膚の状態や皮膚表面の情報の読み取りを開始し、読み取った情報を逐次制御部２１に送信する
制御部２１は、
加工した肌データを記憶部２４に格納する
【００４４】
　
そして、
肌センサユニット２０の制御部２１は、記憶部２４に格納された肌データを接続部２２，外部機器接続部１２を介してユーザ端末１０の制御部１１に送信する
制御部１１は、
肌の表面状態の画像や水分率等の情報を表示部１５に表示させるとともに、記憶部１４に格納する
ユーザは、表示部１５に表示された画像や数値情報等により肌の健康状態を確認することができる
【００４５】
　
次に、ユーザは肌データの診断を依頼するか否かを決定する
診断を依頼する場合は、ユーザはユーザ端末１０から業務委託先サーバ３０にアクセスし、肌データと会員ＩＤ，パスワードを送信する
【００４６】
　
業務委託先サーバ３０の制御部３１は
ユーザが会員であるかの認証を行う
認証後、制御部３１は受診した肌データを肌履歴データベース３２４に格納し、診断を行う
診断にあたっては、水分率等の肌データについては、受診した肌データと肌基準値データベース３２５に登録された肌データの基準値とを比較して診断する
皮膚表面の画像データ等の肌データについては、画像データを解析して指標毎の数値を算出した後、算出した数値と肌基準値データベース３２５に登録された肌データの基準値とを比較して診断する
制御部３１は
診断結果を肌履歴データベース３２４に登録する
【００４７】
　
サービス提供業者は、サービス提供業者端末４０から業務委託先サーバ３０に随時または定期的にアクセスし
肌履歴データベース３２４を参照する
サービス提供業者は、診断結果が登録されていてアドバイザーＩＤが登録されていないものについて、アドバイス回答を自分が担当するか、アドバイザーに依頼するかを決定する
【００４８】
　
サービス提供業者が自分でアドバイス内容の作成を担当する場合は、アドバイス内容とアドバイザーＩＤを入力し、制御部３１により肌履歴データベース３２４に登録される
（ステップＡ１０）。次に、アドバイザーにアドバイス内容の作成を依頼する場合は、サービス提供業者は案件毎にアドバイザーＩＤを指定しアドバイス内容の作成依頼を入力する
【００４９】
　アドバイス内容の作成，登録依頼メールを受信したアドバイザーは、アドバイザー端末５０から業務委託先サーバ３０にアクセスし、アドバイザーＩＤ，パスワードを送信して業務委託先サーバ３０の認証を受けた後、肌履歴データベース３２４の該当会員ＩＤに対応する今回の診断結果や診断履歴を参照する（ステップＡ１３）。そして、
アドバイザーはアドバイス内容を入力し、制御部３１は肌履歴データベース３２４の該当のアドバイス内容欄にアドバイザー端末５０から送られたアドバイス内容を登録する（ステップＡ１４）
【００５０】
　
ステップＡ１０またはステップＡ１４によるアドバイス内容登録後、制御部３１は登録されたアドバイス内容と診断結果をユーザ端末１０に送信する
このとき、制御部３１は
アドバイス内容と診断結果をメールで通知する
ユーザ端末１０は、アドバイス内容と診断結果を業務委託先サーバ３０から受信する
　上記ア乃至エによると、甲第２号証には、次の発明（以下、「甲２発明」という。）が記載されていると認められる。
＜甲２発明＞
「ユーザ端末１０、肌センサユニット２０、業務委託先サーバ３０、サービス提供業者端末４０、アドバイザー端末５０、及びインターネット１００を備えたシステムであって（【００２６】）、
　前記肌センサユニット２０は、肌センサを備えて肌の状態を検出する装置であって、ユーザ端末１０の外部機器接続部１２に接続して使用され（【００２８】）、
　前記業務委託先サーバ３０は、制御部３１と記憶部３２を備え（【００２９】）、
　前記制御部３１は、ユーザ端末１０から受信した肌データにより診断した診断結果を登録する手段、サービス提供業者端末４０またはアドバイザー端末５０から送信されたアドバイス情報を登録し、診断結果とともにユーザ端末１０に送信する手段等を備え（【００３０】）、
　前記記憶部３２は、会員情報データベース３２１、肌履歴データベース３２４、肌基準値データベース３２５等を含んでおり（【００３１】）、
　前記会員情報データベース３２１には、
ユーザが肌の診断サービスの会員登録をするときに登録される、
紹介販売店の指定地域，決済情報等
　前記肌履歴データベース３２４には、会員ＩＤ，年月日，肌データ，診断結果，アドバイス内容，アドバイザーＩＤが含まれ、会員ＩＤ別に、年月日の順に時系列に記録されており（【００３５】）、
　前記肌基準値データベース３２５には、ユーザ端末１０から送られる肌データが正常かを判断するための基準値データとして、例えば、水分率３５％未満は×（異常）、３５％〜４２％は○（正常）、４２％超は×（異常）というように基準値が設定されており（【００３６】）、
　ユーザが、ユーザ端末１０の外部機器接続部１２に肌センサユニット２０の接続部２２を接続し、肌センサユニット２０の肌センサ２３を確認したい部位に接触させることにより肌センサ２３は皮膚の状態や皮膚表面の情報を読み取り、読み取った情報を逐次制御部２１に送信し、肌データが記憶部２４に格納され（【００４３】）、格納された肌データが接続部２２，外部機器接続部１２を介してユーザ端末１０の制御部１１に送信されると、制御部１１が、肌の表面状態の画像や水分率等の情報を表示部１５に表示させ（【００４４】）、
　ユーザが肌データの診断を依頼する場合は、ユーザ端末１０から業務委託先サーバ３０にアクセスし、肌データと会員ＩＤ，パスワードを送信すると（【００４５】）、
　業務委託先サーバ３０の制御部３１は、肌データを肌履歴データベース３２４に格納し、水分率等の肌データについては、肌データと肌基準値データベース３２５に登録された肌データの基準値とを比較して診断し、皮膚表面の画像データ等の肌データについては、画像データを解析して指標毎の数値を算出した後、算出した数値と肌基準値データベース３２５に登録された基準値とを比較して診断し、制御部３１は、診断結果を肌履歴データベース３２４に登録し（【００４６】）、
　サービス提供業者は、サービス提供業者端末４０から業務委託先サーバ３０に随時または定期的にアクセスし、肌履歴データベース３２４を参照し、サービス提供業者は、診断結果に対するアドバイス回答を自分が担当するか、アドバイザーに依頼するかを決定し（【００４７】）、
　アドバイザー端末５０から送られたアドバイス内容、又は、サービス提供業者が作成したアドバイス内容が肌履歴データベース３２４に登録され、診断結果ともにユーザ端末１０にメールで通知され、ユーザ端末１０は、アドバイス内容と診断結果を業務委託先サーバ３０から受信する（【００４８】乃至【００５０】）
　システム。」
（３）甲第３号証には、次の事項が記載されている。なお、下線は当審において付加したものである。
ア　「【００２９】
　なお、上記センター側システム１１では、店舗用ウエブサイトと、会員用ウエブサイトとを作成して管理している。これらのウエブサイトは、上記のような分析結果や、顧客である会員の購買履歴、肌状況を、店舗ごとに把握できるように、店舗側システム１からアクセス可能な店舗用ウエブサイトと、
各会員が、自分の購買履歴や肌情報を取得するために会員端末１０からアクセス可能にしている
イ　「【００３２】
　例えば、
個々の会員は、自分の会員ＩＤに対応した会員情報よび販売情報を見ることができる
　また、各店舗においても、原則的に、自店舗に係わる情報に限り見ることができるようにしている。販売情報のうち、自店の売り上げ情報を見ることができるとともに、自店の顧客に関しては、会員ごとの購入履歴も見ることができるようにしている。他店舗の販売情報は、個々の店舗を特定した情報を見ることはできないが、例えば、全国の平均売り上げなどは、見ることができるようにする。」
　上記ア乃至イによると、甲第３号証には、次の技術的事項（以下、「甲３発明」という。）が記載されていると認められる。
「各会員が、自分の購買履歴や肌情報を取得するために会員端末１０からアクセス可能であり、個々の会員は、自分の会員ＩＤに対応した会員情報および販売情報を見ることができる。」という技術的事項。
（４）甲第４号証には、次の事項が記載されている。なお、下線は当審において付加したものである。
ア　「【０００８】
　上記の目的を達成するために、本発明に係る美顔管理システムは、双方向の通信手段により顧客からの肌情報を蓄積し、顧客へのカウンセリングを行う美顔管理システムであって、
顧客の肌の状態が肌センサーにより測定され、これらの肌情報が入力・格納される顧客側端末装置
イ　「【００１３】
　本発明によれば、
肌センサーによって肌情報をパーソナルコンピューター及び携帯通信端末機器（以下「ＰＣ」と称する。）にアップすることで日々の肌状態を把握することができる
そしてＰＣの肌情報をインターネットにて専用サイトにアップする
ウ　「【００２７】
　さらに、携帯型美顔器とＰＣ端末とＷｅｂサイトとをネットワークで連動させることによって
測定された肌情報に基づき、事前に設定された制御プログラム（作動時間、スチーム温度、振動数、保湿や美白、シワなどの用途の化粧液噴霧時間のバランス調整）をＷｅｂサイト側から端末ＰＣに送信して
【００２８】
　また、各種の化粧液をスチーム化して顔肌に噴霧する
スチーム式美顔装置とＰＣ端末とＷｅｂサイトとをネットワークで連動させることによって化粧液の種類や使用量が肌診断センサーによって測定された肌情報に基づき、事前に設定された制御プログラムによって自動制御されて現時点での肌環境に適した美顔が行える
　上記ア乃至ウによると、甲第４号証には、次の技術的事項（以下、「甲４発明」という。）が記載されていると認められる。
「肌センサーによって肌情報をインターネットにて専用サイトにアップし、測定された肌情報に基づき、事前に設定された制御プログラム（作動時間、スチーム温度、振動数、保湿や美白、シワなどの用途の化粧液噴霧時間のバランス調整）をＷｅｂサイト側から端末ＰＣに送信すること、また、スチーム式美顔装置と肌情報が格納されるＰＣ端末とＷｅｂサイトとをネットワークで連動させることによって、肌診断センサーによって測定された肌情報に基づき、化粧液の種類や使用量が事前に設定された制御プログラムによって自動制御されて、現時点での肌環境に適した美顔が行える。」という技術的事項。
（５）甲第５号証には、次の事項が記載されている。なお、下線は当審において付加したものである。
ア　「【００２４】
　以上のように本実施形態では、
ユーザが健康増進機器２を使用する際に
測定機器１から当該ユーザの身体情報（血圧値および脈拍数）を取得し、取得した身体情報をもとに当該ユーザの健康状態の良否を判断しており、ユーザの健康状態に応じて作用部２１の動作を制御している
身体情報をもとに使用者の健康状態が所定の基準レベルよりも良いと判断した場合のみ、作用部２１を動作させており、ユーザの健康状態が基準レベルよりも悪い場合は作用部２１を動作させない
　上記アによると、甲第５号証には、次の技術的事項（以下、「甲５発明」という。）が記載されていると認められる。
「ユーザが健康増進機器２を使用する際に、測定機器１から当該ユーザの身体情報（血圧値および脈拍数）を取得し、取得した身体情報をもとに当該ユーザの健康状態の良否を判断し、ユーザの健康状態に応じて作用部２１の動作を制御することで、例えば、身体情報をもとに使用者の健康状態が所定の基準レベルよりも良いと判断した場合のみ作用部２１を動作させ、ユーザの健康状態が基準レベルよりも悪い場合は作用部２１を動作させない。」という技術的事項。
（６）甲第６号証には、次の事項が記載されている。なお、下線は当審において付加したものである。
ア　「【００３３】
　以上説明したように本実施形態の健康増進システムでは、
ネットワークを介してセンターサーバ１００に接続された他動運動機器１やマッサージ機２が使用された場合に、他動運動機器１やマッサージ機２から動作プログラムの使用情報をセンターサーバ１００に送信することによって、センターサーバ１００で、複数の動作プログラムの使用状況を判定することができる
イ　「【００３５】
　また本システムでは、
他動運動機器１またはマッサージ機２の使用者が
自身の年齢や身長などの個人情報を入力した場合、これらの個人情報が動作プログラムの使用情報とともにセンターサーバ１００に送信される
センターサーバ１００の演算処理部１０１が
複数の動作プログラムの使用状況と、他動運動機器１またはマッサージ機２から送信された個人情報とに基づいて、当該使用者に推奨する動作プログラムを選択し
送信元の他動運動機器１またはマッサージ機２に対して返送させる
使用者の年齢や身長などの個人情報をもとに使用者の身体能力に合わせた動作プログラムを提示する
　上記ア乃至イによると、甲第６号証には、次の技術的事項（以下、「甲６発明」という。）が記載されていると認められる。
「ネットワークを介してセンターサーバ１００に接続された他動運動機器１やマッサージ機２が使用された場合に、他動運動機器１やマッサージ機２から動作プログラムの使用情報をセンターサーバ１００に送信することによって、センターサーバ１００で、複数の動作プログラムの使用状況を判定することができ、また、使用者が年齢や身長などの個人情報を入力した場合、これらの個人情報が動作プログラムの使用情報とともにセンターサーバ１００に送信され、センターサーバ１００の演算処理部１０１が、複数の動作プログラムの使用状況と、前記個人情報とに基づいて、当該使用者に推奨する動作プログラムを選択し、前記個人情報の送信元に返送させることで、使用者の年齢や身長などの個人情報をもとに使用者の身体能力に合わせた動作プログラムを提示する。」という技術的事項。
（７）甲第７号証には、次の事項が記載されている。なお、下線は当審において付加したものである。
ア　「【００８６】
＝＝携帯電話用偏光フィルター付ダーモスコープ＝＝
　上述したように、本実施の形態で用いるダーモスコープは、偏光フィルターを備え、カメラ付携帯電話に付属しているカメラに対しアダプタを介して取り付けられるようにするのが最も好ましい。以下、このダーモスコープの一例を詳細に記述する。
【００８７】
　図５に一例となるカメラ付携帯電話２０の概観を示す。この携帯電話２０では、画面２２の下部、番号用プッシュボタン２４の上部にカメラ２６が配置されている。このカメラ２６は、対物レンズ２８と、図６に示した撮像素子４０を備える。撮像素子４０は、対物レンズ２８を介して撮像対象物から導かれた像光による撮像を行うものであり、本実施形態では、ＣＣＤによって構成されている。この携帯電話２０単独で撮像が行われる場合には、縮小的画像の撮像が可能になるように構成されている。
【００８８】
　このような
携帯電話２０に取り付けて用いるアダプタとしてのユニット３０
このユニット３０を携帯電話２０のカメラ２６に含まれる対物レンズ２８の光軸と同軸になるようにして、露出している対物レンズ２８の周囲を取り囲むような状態で、携帯電話２０の表面に第１部材４２を貼り付け、ここの第２部材３４を固定することにより、ユニット３０の携帯電話２０に対する着脱自在な状態での取り付けを実現することができる
【００８９】
　ユニット３０の内部では、図７に示すように、マウント４８が、ユニット３０内周面に固定されている。マウント４８は、外径がユニット３０の内径と等しく、中心に円形の孔が設けられている円板である。そして、拡大レンズ４６が、マウント４８の穴にはめ込まれることにより、マウント４８を通してユニット３０に取り付けられている。
【００９０】
　ユニット３０を携帯電話２０に固定した状態で、ユニット先端部３６から携帯電話２０外表面までの距離は、先端部３６を撮像対象物に接触させたときに、対物レンズ２８及び拡大レンズ４６の両レンズの組み合わせによるピント位置が、撮像対象物の撮像対象範囲に合う範囲内に保てるように設計されている。従って、先端部３６を撮像対象物に接触させれば、撮像対処物のうち、先端部３６で囲まれた部分に対し、自動的にピントが合うことになる。」
　上記アによると、甲第７号証には、次の技術的事項（以下、「甲７発明」という。）が記載されていると認められる。
「携帯電話２０に取り付けて用いるアダプタとしてのユニット３０であって、当該ユニット３０を携帯電話２０のカメラ２６に含まれる対物レンズ２８の光軸と同軸になるようにして、露出している対物レンズ２８の周囲を取り囲むような状態で、携帯電話２０に対する着脱自在な状態での取り付けを実現することができるユニット３０。」という技術的事項。
（８）甲第８号証には、次の事項が記載されている。なお、下線は当審において付加したものである。
ア　「【００１７】カウンセリングファイルには、プロフィール診断を行った際に得られた情報（肌への要望、肌へのダメージ度、ファウンデーションの好み等）、ネイルケア診断を行った際に得られた情報（爪の厚み、乾燥度合い、深爪か否か等）、メイクアップ診断を行った際に得られた情報（ほお紅、口紅、ネールエナメル、アイシャドーの色等）、スキンケア診断を行った際に得られた情報（現在の肌状態、現在使用中の化粧品や手入れ、好みのローションタイプ等）が会員番号に基づいて記憶される。」
イ　「【００２０】
顧客が同じフロアに来店する毎にカウンセリング情報や購買情報がカウンセリング端末ＰＣ５に入力され、記憶装置に記憶された情報が更新される
また、更新された情報が顧客データベースサーバ２に送信されて顧客データベースサーバ２に記憶された情報も更新される
【００２１】次にこの顧客が２階のメイクアップフロアに来店した場合について説明する。カウンセラーが
会員カードをカードリーダ・ライタ７に挿入すると、会員番号が読み取られて顧客データベースサーバ２に送られ、この会員番号に基づいて顧客データベースサーバ２に記憶されている過去のカウンセリング情報や購買情報がカウンセリング端末ＰＣ５に送信される
ウ　「【００２２】カウンセラーは、その情報を見ながら顧客に対してカウンセリングを行う。例えば、顧客の個人情報を知りたいときには、画面に表示されたメニューの中から「会員情報」の項目を選択すると、図４に示す如く、顧客が入会申し込み書に記入した事項が表示される。また、「プロフィール」の項目を選択すると、図２に示す如く、プロフィール診断の結果が表示され、「スキンケア」の項目を選択すると、図３に示す如く、スキンケア診断の結果が表示され、「購買履歴」の項目を選択すると、図５に示す如く、過去に購入した商品の一覧表が表示される。」
　上記ア乃至ウによると、甲第８号証には、次の技術的事項（以下、「甲８発明」という。）が記載されていると認められる。
「顧客のカウンセリング情報や購買情報がカウンセリング端末ＰＣ５に入力されると、更新された情報が顧客データベースサーバ２に送信され、会員カードをカードリーダ・ライタ７に挿入すると、会員番号が読み取られて顧客データベースサーバ２に送られ、この会員番号に基づいて顧客データベースサーバ２に記憶されている過去のカウンセリング情報や購買情報がカウンセリング端末ＰＣ５に送信される。」という技術的事項。
（９）甲第９号証には、次の事項が記載されている。なお、下線は当審において付加したものである。
ア　「【００４２】
図８は、表示項目セットの登録画面である
この登録画面において
検索結果としての内容表示の有無を設定するためのチェックボックスと、データベース項目を表示順の入力エリアと、表示領域内における内容の表示位置を左詰め、中央揃え、あるいは右詰めに設定するためのチェックボタンと
を、それぞれ対応づけて表示する
つまり、画面表示スタイルが設定できるようになっている
イ　「【００４６】
図１０は、検索結果の表示画面である
検索項目セットにより検索されたデータの各項目の内容の中の表示項目セットとして設定されたものだけが表示される
　上記ア乃至イによると、甲第９号証には、次の技術的事項（以下、「甲９発明」という。）が記載されていると認められる。
「画面表示スタイルの設定を行うことができる表示項目セットの登録画面において、検索結果としての内容表示の有無を設定するためのチェックボックスと、データベース項目を表示順の入力エリアと、表示領域内における内容の表示位置を左詰め、中央揃え、あるいは右詰めに設定するためのチェックボタン等が表示されており、検索結果の表示画面においては、検索項目セットにより検索されたデータの各項目の内容の中の表示項目セットとして設定されたものだけが表示される。」という技術的事項。
（１０）甲第１０号証には、次の事項が記載されている。なお、下線は当審において付加したものである。
ア　「【００５１】ここで、美容カルテ情報に基づいて生成された美容カルテ画面を図１３に例示する。なお、前述した図６に示す美容カルテ画面と同一の項目については同一の符号を付し、その説明を省略する。図１３に示すように、美容カルテ画面には、フェイシャル・エステケアの実行ボタン７０と肌質診断ボタン７１が備えられている。フェイシャル・エステケアの実行ボタン７０が選択され確定されると、ユーザの肌の状態に適したフェイシャル・エステケアが提供される。また、
肌質診断ボタン５５が選択され確定されると、肌質診断部４４により行われる肌質診断を受診する際の操作手順がモニター部４１に順次表示される
肌質診断部４４による診断が終了すると、現況入力領域６９に設けられた他の項目から入力・選択された情報と肌質診断部４４による診断結果とに基づいて、美容カルテ画面に表示されているワンポイントアドバイス６５・生活習慣に関するアドバイス６６・食事に関するアドバイス６７・スキンケアに関するアドバイス６８等の美容に関するアドバイスの内容が更新される
【００５２】次に、美容カルテ画面の
フェイシャル・エステケアの実行ボタン７０がユーザにより選択され確定されると、フェイシャル装置４０のＣＰＵ４７は、アドバイスサーバ１０から提供された美容に関するアドバイス情報
に基づいて、フェイシャル・エステケアを実行するプログラムに対応する実行プログラム名４６２ａをフェイシャル情報ＤＢ４６２から抽出する
フェイシャル装置４０のＣＰＵ４７は、この選択した実行プログラム名に対応するプログラムを実行することにより、フェイシャル・エステケアを順次実行させるための操作手順をモニター部４１に表示させる
　上記アによると、甲第１０号証には、次の技術的事項（以下、「甲１０発明」という。）が記載されていると認められる。
「フェイシャル装置４０において、肌質診断ボタン５５が選択され確定されると、肌質診断部４４により行われる肌質診断を受診する際の操作手順がモニター部４１に順次表示され、肌質診断部４４による診断が終了すると、現況入力領域６９に設けられた他の項目から入力・選択された情報と肌質診断部４４による診断結果とに基づいて、美容に関するアドバイスの内容が更新され（【００５１】）、
　続けて、フェイシャル・エステケアの実行ボタン７０がユーザにより選択され確定されると、フェイシャル装置４０のＣＰＵ４７は、アドバイスサーバ１０から提供された美容に関するアドバイス情報に基づいて、フェイシャル・エステケアを実行するプログラムに対応する実行プログラム名４６２ａをフェイシャル情報ＤＢ４６２から抽出し、この選択した実行プログラム名に対応するプログラムを実行することにより、フェイシャル・エステケアを順次実行させるための操作手順をモニター部４１に表示させる。」という技術的事項。
（１１）甲第１１号証には、次の事項が記載されている。なお、下線は当審において付加したものである。
ア　「(57)【要約】
【課題】  インターネット等を利用したオンラインショッピングに於いても、対面販売と同様なカウンセリングを受けられるようにすることにある。
【解決手段】 
注文者は、肌診断装置11を用いて自身の肌の状態を測定する
その測定結果を示す肌診断基礎データは、ユーザ端末10からネットワーク100 を介して化粧品販売会社端末20へ送られる
化粧品販売会社端末20は、ユーザ端末10から送られてきた肌診断基礎データに基づいて、推薦する製品や、肌の手入れ方法や、理想の肌状態と現在の肌状態との比較グラフ等を含む肌診断カウンセリング情報をユーザ端末10に返送する
注文者は、ユーザ端末10の画面の表示された肌診断カウンセリング情報に基づいて購入する化粧品を決定し、購入注文情報をユーザ端末10からネットワーク100 を介して化粧品販売会社端末20へ送信する
　上記アによると、甲第１１号証には、次の技術的事項（以下、「甲１１発明」という。）が記載されていると認められる。
「注文者が、肌診断装置11を用いて測定した自身の肌の状態の測定結果を示す肌診断基礎データが、ユーザ端末10からネットワーク100 を介して化粧品販売会社端末20へ送られ、化粧品販売会社端末20は、受信した肌診断基礎データに基づいて、推薦する製品や、肌の手入れ方法や、理想の肌状態と現在の肌状態との比較グラフ等を含む肌診断カウンセリング情報をユーザ端末10に返送し、注文者は、ユーザ端末10の画面に表示された肌診断カウンセリング情報に基づいて、購入する化粧品を決定し、購入注文情報をユーザ端末10からネットワーク100 を介して化粧品販売会社端末20へ送信する。」という技術的事項。
２　無効理由１について
（１）本件発明１についての判断
　本件発明１の「ユーザークライアント」に関しては、請求人の主張（「第４　請求人の証拠方法と主張」の２（２）（２−１）アを参照）を踏まえ、
「ア　甲１発明の『携帯電話ＨＰ』が本件発明１の「ユーザークライアント」に相当すると仮定した場合」
「イ　甲１発明の『表示装置５２』が本件発明１の「ユーザークライアント」に相当すると仮定した場合」
　に分けて、以下に検討する。
ア　甲１発明の『携帯電話ＨＰ』が本件発明１の「ユーザークライアント」に相当すると仮定した場合
（ア）　対比
　本件発明１と甲１発明を対比する。
（ア−１）甲１発明の肌状態改善システムでは、住宅Ｘ内に『肌状態検出装置Ａ』と『肌状態改善部Ｂ』が設置されており、『肌状態検出装置Ａ』で測定された『測定データ』に基づいて『肌状態改善部Ｂ』を制御しており、甲１発明の『肌状態検出装置Ａ』及び『肌状態改善部Ｂ』は、それぞれ、本件発明１の「肌状態測定装置」及び「スキンケア装置」に相当する。
（ア−２）分節（Ａ）の「ユーザークライアント」について
　（ア−１）で上述したとおり、甲１発明の『肌状態検出装置Ａ』及び『肌状態改善部Ｂ』は、それぞれ、本件発明１の「肌状態測定装置」及び「スキンケア装置」に相当する。
　また、甲１発明の『携帯電話ＨＰ』は、前記『測定データ』を『センターサーバ１０１』に送信し、また、前記『携帯電話ＨＰ』には『ディスプレイ』があることから、甲１発明の『携帯電話ＨＰ』は、本件発明１のように「ネットワークに接続してデータの送受信を行う送受信手段と表示手段とを備え」ているといえるから、甲１発明の『携帯電話ＨＰ』は、本件発明１の「ネットワークに接続してデータの送受信を行う送受信手段と表示手段とを備えたユーザークライアント」に相当する。
　つぎに、甲１発明における肌状態測定装置（『肌状態検出装置Ａ』）及びスキンケア装置（『肌状態改善部Ｂ』）と、ユーザークライアント（『携帯電話ＨＰ』）と、の接続関係について検討すると、ユーザークライアントは肌状態測定装置から『測定データ』を取り込むものの、ユーザークライアントとスキンケア装置との間ではデータの送受信が実行されるものではない。したがって、甲１発明におけるユーザークライアント（『携帯電話ＨＰ』）は、本件発明１のように、「スキンケア装置とデータの送受信が行えるように有線または無線で接続される」とはいえないが、本件発明１の「ユーザークライアント」と対比すると、「ユーザーにより使用される肌状態測定装置」「とデータの送受信が行えるように有線または無線で接続される」点において共通する。
（ア−３）分節（Ｂ）の「データ管理サーバ」及び分節（Ｃ）の「分析結果出力手段」について
　甲１発明の『測定データ』は、本件発明１の「測定データ」に相当する。また、甲１発明では、肌状態測定装置によって測定された使用者の肌の測定データの履歴や、前記測定データと標準値とを比較するグラフ等の画像データが、センターサーバ１０１から表示装置５２又は携帯電話ＨＰに送信されることから、甲１発明の『センターサーバ１０１』は、本件発明１のように、「前記ユーザークライアントに対して前記ネットワークを介してデータの送受信が可能にされ」ているといえる。
　また、甲第１号証には、『センターサーバ１０１』が、ユーザーに関連する測定データ等の情報をどのように記憶するのか明示されていないが、甲１発明では、ユーザーが『センサーサーバ１０１』にアクセスすることで、当該ユーザーに関連する情報が『センターサーバ１０１』から提供されており、そのために、甲１発明の『センターサーバ１０１』は、前記ユーザーに関連する情報を、本件発明１のように、「前記ユーザー毎に重複の無い一意の顧客ＩＤに関連付けて記憶」しているといえる。
　したがって、甲１発明の『センターサーバ１０１』は、本件発明１の「前記ユーザークライアントに対して前記ネットワークを介してデータの送受信が可能にされ、前記ユーザーに関連する情報を前記ユーザー毎に重複のない一意の顧客ＩＤに関連付けて記憶するデータ管理サーバ」に相当する。
　さらに、甲１発明の『測定データと標準値とを比較するグラフ等の画像データ』は、本件発明１の「前記肌状態測定装置により測定された測定データを分析することにより得られる肌状態の分析結果データ」に相当する。そして、甲１発明では、前記『測定データと標準値とを比較するグラフ等の画像データ』が『センターサーバ１０１』から『表示装置５２』又はユーザークライアントに送信され表示されることから、甲１発明の『センターサーバ１０１』は、本件発明１の「前記肌状態測定装置により測定された測定データを分析することにより得られる肌状態の分析結果データが入力され、当該分析結果データを前記ユーザークライアントで表示可能に出力する分析結果出力手段」に相当する構成を備えているといえる。
（ア−４）分節（ｂ１）の「ユーザーデータ用データベース」について
　甲１発明のデータ管理サーバは、ユーザークライアント（『携帯電話ＨＰ』）から測定データを受信するものの、測定データ以外の個人情報等を受信するのか否か明らかではなく、甲１発明のデータ管理サーバには、本件発明１の「複数の各ユーザークライアントから受信した前記ユーザーの個人の特定につながる個人情報と前記ユーザーの個人情報を除いた付帯情報を含み、前記顧客ＩＤに関連付けられたユーザーデータが登録されるユーザーデータ用データベース」に相当する構成が存在するとはいえない。
（ア−５）分節（ｂ２）の「測定データ用データベース」について
　甲１発明では、ユーザークライアントから測定データを受信したデータ管理サーバが、『測定データの履歴』や肌状態の分析結果データを、『表示装置５２』又はユーザークライアントに送信していることから、甲１発明のデータ管理サーバには、『測定データの履歴』や肌状態の分析結果データが、送信を可能とすべく『表示装置５２』又はユーザークライアントを示すＩＤと関連付けられて記憶されており、前記『測定データの履歴』は、本件発明１の「測定データあるいは肌状態の分析結果データ」であって「当該測定データの取得時期に基づいた時系列に応じたデータ」に相当するといえる。
　したがって、甲１発明におけるデータ管理サーバは、本件発明１の「前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベース」に相当する構成を備えているといえる。
（ア−６）分節（ｂ３）の「データ閲覧用データ送信手段」について
　甲１発明では、表示装置５２又は携帯電話ＨＰがセンターサーバ１０１にアクセスして、測定データの履歴や測定データと標準値とを比較するグラフ等を提供するサービスを選択すると、測定データの履歴や測定データと標準値とを比較するグラフ等の画像データがセンターサーバ１０１から表示装置５２又は携帯電話ＨＰに送信されて表示されることから、甲１発明におけるデータ管理サーバ（『センターサーバ１０１』）は、本件発明１のように、「前記ユーザークライアントからの閲覧要求に基づき、前記測定データ用データベース」「に登録されるとともに、前記ユーザークライアントの前記顧客ＩＤに関連付けられたデータを、前記ユーザークライアントに送信するデータ閲覧用データ送信手段」に相当する構成を備えているといえる。
（ア−７）分節（ｂ４）の「スキンケア装置制御方法決定手段」及び分節（Ｄ）の「スキンケア装置」について
　甲１発明では、スキンケア装置の制御方法（スキンケア装置を制御する制御信号）は、測定データと『
所定値
比較して
標準値
画像データ
　すなわち、本件発明１と甲１発明とを対比すると、第１に、測定データと比較される対象が、本件発明１では「
標準値
所定値
画像データ
比較
　したがって、甲１発明には、本件発明１の「前記分析結果出力手段から得られた前記肌状態の
分析結果データに基づいて
（ア−８）分節（ａ１）の「ユーザーデータ送信手段」について
　甲１発明では、本件発明１における「ユーザーデータ」のような情報（「個人情報」と「付帯情報」を含むもの）を送信しないため、甲１発明には、本件発明１における「前記ユーザーにより入力されるとともに前記個人情報と前記付帯情報を含むユーザーデータを前記データ管理サーバに送信するユーザーデータ送信手段」に相当する構成は存在しない。
（ア−９）分節（ａ２）の「測定データ送信手段」について
　上記（ア−５）の分節（ｂ２）に関して示したところにより、甲１発明におけるユーザークライアントは、本件発明１の「前記肌状態測定装置により測定された前記ユーザーの前記測定データが当該肌状態測定装置から入力された場合に、入力された前記測定データを前記データ管理サーバに送信する測定データ送信手段」に相当する構成を備えているといえる。
（ア−１０）分節（ａ３）の「分析結果表示手段」について
　上記（ア−５）の分節（ｂ２）に関して示したところにより、甲１発明におけるユーザークライアントは、本件発明１の「前記測定データに対する前記分析結果データが前記分析結果出力手段から入力された場合に前記分析結果データを表示する分析結果表示手段」に相当する構成を備えているといえる。
（ア−１１）分節（ａ４）の「データ閲覧要求手段」について
　上記（ア−６）の分節（ｂ３）に関して示したところにより、甲１発明におけるユーザークライアントは、本件発明１の「前記測定データ用データベースまたは前記ユーザーデータ用データベースから前記顧客ＩＤに関連付けて記憶された各データの送信を要求するデータ閲覧要求手段」に相当する構成を備えているといえる。
（ア−１２）分節（ａ５）の「データ表示手段」について
　上記（ア−５）の分節（ｂ２）に関して示したところにより、甲１発明におけるユーザークライアントは、本件発明１の「前記データ閲覧要求手段により要求したデータを前記データ管理サーバから受信した場合に、送信されたデータを表示するデータ表示手段」に相当する構成を備えているといえる。
　以上（ア−１）乃至（ア−１２）によると、本件発明１と甲１発明は、次の点で一致する。
＜一致点＞
「ユーザーにより使用される肌状態測定装置とデータの送受信が行えるように有線または無線で接続されるとともに、ネットワークに接続してデータの送受信を行う送受信手段と表示手段とを備えたユーザークライアントと、
　前記ユーザークライアントに対して前記ネットワークを介してデータの送受信が可能にされ、前記ユーザーに関連する情報を前記ユーザー毎に重複の無い一意の顧客ＩＤに関連付けて記憶するデータ管理サーバと、
　前記肌状態測定装置により測定された測定データを分析することにより得られる肌状態の分析結果データが入力され、当該分析結果データを前記ユーザークライアントで表示可能に出力する分析結果出力手段と、
　を備え、
　前記データ管理サーバは、
　前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベースと、
　前記ユーザークライアントからの閲覧要求に基づき、前記測定データ用データベースに登録されるとともに、前記ユーザークライアントの前記顧客ＩＤに関連付けられたデータを、前記ユーザークライアントに送信するデータ閲覧用データ送信手段と、
　前記スキンケア装置の制御方法を決定するスキンケア装置制御方法決定手段と、を備え、
　前記ユーザークライアントは、
　前記肌状態測定装置により測定された前記ユーザーの前記測定データが当該肌状態測定装置から入力された場合に、入力された前記測定データを前記データ管理サーバに送信する測定データ送信手段と、
　前記測定データに対する前記分析結果データが前記分析結果出力手段から入力された場合に前記分析結果データを表示する分析結果表示手段と、
　前記測定データ用データベースから前記顧客ＩＤに関連付けて記憶された各データの送信を要求するデータ閲覧要求手段と、
　前記データ閲覧要求手段により要求したデータを前記データ管理サーバから受信した場合に、送信されたデータを表示するデータ表示手段とを備え、
　前記スキンケア装置は、制御されることを特徴とする肌状態測定分析情報管理システム。」
　そして、本件発明１と甲１発明は、次の点で相違する。
＜相違点１−１−１＞
　本件発明１では、ユーザークライアントはスキンケア装置と、データの送受信が行えるように、有線または無線で「接続」されているのに対し、甲１発明では、ユーザークライアントはスキンケア装置とは「接続」されていない点。
＜相違点１−１−２＞
　本件発明１では、データ管理サーバが、「前記分析結果出力手段から得られた肌状態の
分析結果データに基づいて
分析結果データに基づいて
＜相違点１−１−３＞
　本件発明１では、データ管理サーバが、「複数の各ユーザークライアントから受信した前記ユーザーの個人の特定につながる個人情報と前記ユーザーの個人情報を除いた付帯情報を含み、前記顧客ＩＤに関連付けられたユーザーデータが登録されるユーザーデータ用データベース」を備えているのに対し、甲１発明のデータ管理サーバは備えていない点。
＜相違点１−１−４＞
　本件発明１では、ユーザークライアントが、「前記ユーザーにより入力されるとともに前記個人情報と前記付帯情報を含むユーザーデータを前記データ管理サーバに送信するユーザーデータ送信手段」を備えているのに対し、甲１発明のユーザークライアントは備えていない点。
（イ）相違点についての判断
＜相違点１−１−１＞について
　甲１発明のスキンケア装置は、ネットアダプタ５４に接続されており、当該ネットアダプタ５４経由でデータ管理サーバから制御信号を受信し、当該制御信号に基づいて制御されるものであるから、ネットアダプタ５４との接続に加えて、さらに、ユーザークライアントとスキンケア装置を接続させる動機付けがあるとはいえないし、ネットアダプタ５４との接続に代えて、敢えて、ユーザークライアントと接続させる動機付けもあるとはいえない。
＜相違点１−１−２＞について
　甲１発明における分析結果データとは、具体的には、ユーザークライアントにおいて表示されるべくデータ管理サーバから出力される『測定データと
標準値
画像データ
　そして、甲１発明では、スキンケア装置の制御方法の決定は、測定データと
所定値
　ここで、甲１発明において、スキンケア装置の制御方法を決定するために、測定データと「
所定値
標準値
　さらに、甲１発明では、スキンケア装置の制御方法の決定は、測定データに基づいて行うことで十分であり、これを敢えて、
画像データ
＜相違点１−１−３＞及び＜相違点１−１−４＞について
　甲２発明では、データ管理サーバの『会員情報データベース３２１』に、『会員ＩＤ，パスワード，氏名，メールアドレス，
紹介販売店の指定地域，決済情報
等
　また、甲２発明では、『氏名』、『メールアドレス』、『紹介販売店の指定地域』等は、『肌の診断サービスの会員登録をするときに登録される』ものであり、インターネットを利用した各種サービスの会員登録時には、個人情報等をユーザークライアントから送信することが技術常識であることを考慮すると、甲２発明は、＜相違点１−１−４＞に係る構成である、ユーザークライアントが「前記ユーザーにより入力されるとともに前記個人情報と前記付帯情報を含むユーザーデータを前記データ管理サーバに送信するユーザーデータ送信手段」を備えるものであるといえる。
　ここで、甲２発明は、ユーザークライアントを介して送信された測定データをサーバにおいて管理するという点において、甲１発明と同じ技術分野に属することから、甲１発明において、同じ技術分野に属する甲２発明を適用して、当該＜相違点１−１−３＞及び＜相違点１−１−４＞に係る構成とすることは、当業者が容易になし得たものである。
（ウ）請求人の主張について
＜相違点１−１−１＞に関して
　請求人は、甲第１号証の段落【００５０】の記載を根拠に、甲第１号証には、ユーザークライアント（『携帯電話ＨＰ』）とスキンケア装置（『肌状態改善部Ｂ』）とを相互に接続することが記載されていると主張する（請求人の口頭審理陳述要領書第４頁）。
　その主張の論拠は、次のとおりである。
・甲第１号証の段落【００５０】には、『・・・肌状態検出装置Ａ、肌状態改善部Ｂ、表示装置５２、ネットアダプタ５４にはそれぞれ個別のローカルＩＰアドレスが割り当てられており、センターサーバ１０１（および制御部Ｃ）と各機器との間で相互に通信が行えるようになっている。』との記載があり、肌状態検出装置Ａ、肌状態改善部Ｂ、表示装置５２、ネットアダプタ５４といった各機器の間には接続関係が存在している。
・したがって、甲第１号証には、スキンケア装置（肌状態改善部Ｂ）と肌状態測定装置（肌状態検出装置Ａ）と表示装置（表示装置５２）と送受信手段（ネットアダプタ５４）とユーザークライアント（携帯電話ＨＰ）とを相互に接続することが記載されている。
                                                                            　
　上記主張について検討すると、無効理由１は、構成（Ａ）のユーザークライアントが、スキンケア装置とデータの送受信が行えるように有線または無線で接続されたものである点が、甲１発明との一致点であることを前提とするものであるところ、ユーザークライアントに対応する甲１発明の『携帯電話ＨＰ』に関する記載箇所は、段落【００６２】、【００６３】、【図７】にとどまる。そして、請求人が示す甲第１号証の段落【００５０】は、『携帯電話ＨＰ』についての開示ではなく、また、これらの記載箇所においても、ユーザークライアントを肌状態測定装置と接続することや表示装置として用いることは記載されているものの、それにとどまり、ユーザークライアントをスキンケア装置と接続することは、記載されていない。
　さらには、甲１発明においては、肌状態測定装置（『肌状態検出装置Ａ』）からの測定データについては、『ネットアダプタ５４』ではなく『携帯電話ＨＰ』を用いてセンターサーバへ送信することができるとされる一方で、スキンケア装置（『肌状態改善部Ｂ』）に対する制御信号については、センターサーバではなく『ネットアダプタ５４』において生成することが可能であるとされており、甲１発明の文脈において両者の取扱いは同様ではないから、段落【００６２】における肌状態測定装置（『肌状態検出装置Ａ』）についての記載がスキンケア装置（『肌状態改善部Ｂ』）について同様に当てはまるということもできない。
　してみると、甲第１号証の記載内容からみて、構成（Ａ）のユーザークライアントがスキンケア装置とデータの送受信が行えるように有線または無線で接続されたものである点は、本願発明と甲１発明との一致点であるということはできないのであり、この点が一致点であることを前提とする無効理由１は、成り立たない。
＜相違点１−１−２＞に関して
　請求人は、本件発明１の「分析結果データ」に関して、「分析」が技術的にどのような処理であるのか明細書や図面には一切記載がない、「分析」が具体的に何を意味するのか明確でない、そして、「分析結果データ」と「測定データ」との間に本質的な違いがない、と主張している（請求人の口頭審理陳述要領書第５頁）。
　当該主張について検討すると、本件特許明細書の段落【０１３８】に、「測定データから分析結果を取得するためのデータ分析用データベース５３」と記載されており、段落【０１４０】に、「データ分析用データベース５３として肌基準値データベース５ｇ」と記載されており、段落【０１４９】に、「簡易診断は、・・・（中略）・・・肌基準値データベース５ｇの測定データから近似する測定データを選択し、当該測定データに関連付けられたランクを簡易診断結果として出力するようになっている」と記載されている。
　以上の記載から、本件発明１の「分析結果データ」における「分析」とは、例えば、「測定データ」と「ランク」とが対応付けられた「肌基準値データベース５ｇ」を参照して、「測定データ」に対応する「ランク」を「診断結果（分析結果）」として出力することであると認められるから、本件発明１の「分析」が技術的にどのような処理であるのか明確であって、「分析結果データ」と「測定データ」との違いも明らかであるから、請求人の上記主張は妥当ではない。
（エ）まとめ
　以上のとおりであるから、本件発明１は、甲１発明及び甲２発明等の周知技術に基づいて、当業者が容易に発明をすることができたものであるということはできない。
イ　甲１発明の『表示装置５２』が本件発明１の「ユーザークライアント」に相当すると仮定した場合
（ア）　対比
　本件発明１と甲１発明を対比する。
（ア−１）甲１発明の肌状態改善システムでは、『肌状態検出装置Ａ』で測定された『測定データ』に基づいて『肌状態改善部Ｂ』を制御しており、甲１発明の『肌状態検出装置Ａ』及び『肌状態改善部Ｂ』は、それぞれ、本件発明１の「肌状態測定装置」及び「スキンケア装置」に相当する。
（ア−２）分節（Ａ）の「ユーザークライアント」について
　甲１発明では、住宅Ｘ内に『肌状態検出装置Ａ』と『肌状態改善部Ｂ』が設置されており、前記『肌状態検出装置Ａ』で測定された『測定データ』に基づいて前記『肌状態改善部Ｂ』が制御されることから、甲１発明の『肌状態検出装置Ａ』及び『肌状態改善部Ｂ』は、それぞれ、本件発明１の「肌状態測定装置」及び「スキンケア装置」に相当する。
　また、甲１発明の『表示装置５２』が『センターサーバ１０１』にアクセスして、使用者の肌の測定データの履歴や測定データと標準値とを比較するグラフ等の画像データがセンターサーバ１０１から表示装置５２に送信されて表示されることから、甲１発明の『表示装置５２』は、本件発明１のように「ネットワークに接続してデータの送受信を行う送受信手段と表示手段とを備え」ているといえる。
　ここで、甲１発明の『表示装置５２』が、本件発明１の「ユーザークライアント」に相当する（と仮定している）ことから、甲１発明の『表示装置５２』は、本件発明１の「ネットワークに接続してデータの送受信を行う送受信手段と表示手段とを備えたユーザークライアント」に相当する。
　つぎに、甲１発明における肌状態測定装置（『肌状態検出装置Ａ』）及びスキンケア装置（『肌状態改善部Ｂ』）と、ユーザークライアント（『表示装置５２』）と、の接続関係について検討すると、甲１発明のユーザークライアントは、ネットアダプタ５４を介して、肌状態測定装置から信号を受信することから、甲１発明のユーザークライアントは、本件発明１のように、肌状態測定装置と「データの送受信が行えるように有線または無線で接続され」ているものの、ユーザークライアントとスキンケア装置との間でデータの送受信が行われるものではない。
　つまり、甲１発明のユーザークライアントは、本件発明１のように、「スキンケア装置とデータの送受信が行えるように有線または無線で接続される」もの、ではない。
（ア−３）分節（ａ２）の「測定データ送信手段」について
　甲１発明では、ユーザークライアント（『表示装置５２』）において測定データの履歴が表示されるものの、測定データは、肌状態測定装置からネットアダプタ５４、ＬＡＮ２０１及びインターネット２０２を介して、又は、肌状態測定装置から携帯電話ＨＰ、携帯電話網及びインターネットを介して、データ管理サーバに送信されることから、甲１発明におけるユーザークライアントには、本件発明１のような「測定データ送信手段」が存在しない。
（ア−４）分節（ｂ１）、（ｂ４）、（Ｄ）、（ａ１）について
　上記ア（ア）に示したとおり、甲１発明は、当該各分節に相当する構成を備えていない。
（ア−５）分節（Ｂ）、（Ｃ）、（ｂ２）、（ｂ３）、（ａ２）〜（ａ５）について
　上記ア（ア）に示したとおり、甲１発明は、当該各分節に相当する構成を備えている。
　以上（ア−１）乃至（ア−５）によると、本件発明１と甲１発明は、次の点で一致する。
＜一致点＞
「ユーザーにより使用される肌状態測定装置とデータの送受信が行えるように有線または無線で接続されるとともに、ネットワークに接続してデータの送受信を行う送受信手段と表示手段とを備えたユーザークライアントと、
　前記ユーザークライアントに対して前記ネットワークを介してデータの送受信が可能にされ、前記ユーザーに関連する情報を前記ユーザー毎に重複の無い一意の顧客ＩＤに関連付けて記憶するデータ管理サーバと、
　前記肌状態測定装置により測定された測定データを分析することにより得られる肌状態の分析結果データが入力され、当該分析結果データを前記ユーザークライアントで表示可能に出力する分析結果出力手段と、
　を備え、
　前記データ管理サーバは、
　前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベースと、
　前記ユーザークライアントからの閲覧要求に基づき、前記測定データ用データベースに登録されるとともに、前記ユーザークライアントの前記顧客ＩＤに関連付けられたデータを、前記ユーザークライアントに送信するデータ閲覧用データ送信手段と、
　前記スキンケア装置の制御方法を決定するスキンケア装置制御方法決定手段と、を備え、
　前記ユーザークライアントは、
　前記測定データに対する前記分析結果データが前記分析結果出力手段から入力された場合に前記分析結果データを表示する分析結果表示手段と、
　前記測定データ用データベースから前記顧客ＩＤに関連付けて記憶された各データの送信を要求するデータ閲覧要求手段と、
　前記データ閲覧要求手段により要求したデータを前記データ管理サーバから受信した場合に、送信されたデータを表示するデータ表示手段とを備え、
　前記スキンケア装置は、制御されることを特徴とする肌状態測定分析情報管理システム。」
　そして、本件発明１と甲１発明は、次の点で相違する。
＜相違点１−２−１＞
　本件発明１では、ユーザークライアントはスキンケア装置と、データの送受信が行えるように、有線または無線で「接続」されているのに対し、甲１発明では、ユーザークライアントはスキンケア装置とは「接続」されていない点。
＜相違点１−２−２＞
　上記ア（ア）＜相違点１−１−２＞に示したとおりである。
＜相違点１−２−３＞
　本件発明１のユーザークライアントは、「前記肌状態測定装置により測定された前記ユーザーの前記測定データが当該肌状態測定装置から入力された場合に、入力された前記測定データを前記データ管理サーバに送信する測定データ送信手段」を備えているのに対し、甲１発明のユーザークライアントは備えていない点。
＜相違点１−２−４＞
　上記ア（ア）＜相違点１−１−３＞に示したとおりである。
＜相違点１−２−５＞
　上記ア（ア）＜相違点１−１−４＞に示したとおりである。
（イ）相違点についての判断
＜相違点１−２−１＞について
　甲１発明のユーザークライアント（『表示装置５２』）は、肌状態測定装置又はデータ管理サーバから、測定データ、グラフ、映像等を受信して表示する装置であって、スキンケア装置（『肌状態改善部Ｂ』）を制御する機能は備えていない。
　なお、甲１発明において、ユーザークライアント（『表示装置５２』）がスキンケア装置（『肌状態改善部Ｂ』）を制御することが想定されていないことは、甲１発明では、スキンケア装置（『肌状態改善部Ｂ』）に信号を送信する送信元となる『ネットワーク機器』として、データ管理サーバ（『センターサーバ１０１』）が明示されているものの、送信先となる『ネットワーク機器』と異なり、ユーザークライアント（『表示装置５２』）が示されていないことからも明らかである。
　したがって、甲１発明では、ユーザークライアントがスキンケア装置を制御する機能を備えておらず、また、想定されていない以上、甲１発明のユーザークライアントを、本件発明１のように、「スキンケア装置とデータの送受信が行えるように有線または無線で接続される」ように構成する動機付けがあるとはいえない。
＜相違点１−２−２＞について
　上記ア（イ）の「＜相違点１−１−２＞について」に示したとおりである。
＜相違点１−２−３＞について
　甲１発明では、ユーザークライアント（『表示装置５２』）は、肌状態測定装置から信号を受信するものの、受信した信号を他の機器等（特に、データ管理サーバ）に送信するものではなく、肌状態測定装置により測定された測定データは、ネットアダプタ５４を介して、直接、データ管理サーバに送信されることから、甲１発明において、測定データを肌状態測定装置からデータ管理サーバに直接送信することに加えて、肌状態測定装置から一旦ユーザークライアントを経由してデータ管理サーバに送信するように構成する動機付けがあるとはいえないし、肌状態測定装置からデータ管理サーバに直接送信することに替えて、敢えて、ユーザークライアントを一旦経由させて、データ管理サーバに送信するように構成する動機付けもあるとはいえない。
＜相違点１−２−４＞及び＜相違点１−２−５＞について
　上記ア（イ）の「＜相違点１−１−３＞及び＜相違点１−１−４＞について」に示したとおりである。
（ウ）請求人の主張について
＜相違点１−２−２＞に関して
　上記ア（ウ）の「＜相違点１−１−２＞に関して」に示したとおりである。
（エ）まとめ
　以上のとおりであるから、本件発明１は、甲１発明及び甲２発明等の周知技術に基づいて、当業者が容易に発明をすることができたものであるということはできない。
ウ　以上のとおり、「ア　甲１発明の『携帯電話ＨＰ』が本件発明１の「ユーザークライアント」に相当すると仮定した場合」と「イ　甲１発明の『表示装置５２』が本件発明１の「ユーザークライアント」に相当すると仮定した場合」のいずれの観点から検討しても、本件発明１は、甲１発明及び甲２発明等の周知技術に基づいて、当業者が容易に発明をすることができたものであるということはできない。
（２）本件発明２についての判断
　本件発明２は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定とは、データ管理サーバが「スキンケア装置使用スケジュール決定手段」を備え、ユーザークライアントが「スキンケア装置使用スケジュール表示手段」を備えることであるが、甲１発明、甲２発明、甲４発明のいずれも、当該限定事項に相当する構成を備えていない。
　また、甲４発明は、スキンケア装置に対応するスチーム式美顔装置がその近傍にあるＰＣ端末に接続されており、このＰＣ端末において測定データの蓄積と蓄積された測定データを踏まえたスチーム式美顔装置の制御が行われ、そのようなＰＣ端末がネットワークを介してＷｅｂサイトと連動するものである。これに対し、甲１発明の認定に係る【図７】に示された「実施形態２」は、「実施形態１」と異なり、スキンケア装置に対応する肌状態改善部Ｂに制御信号を発してこれを制御する制御部Ｃがスキンケア装置に対応する肌状態改善部Ｂの近傍ではなく、センターサーバやネットアダプタに設けられており、制御部Ｃがスキンケア装置に対応する肌状態改善部Ｂの近傍にあることや、複数の制御部が連動することは想定していない。
　このように、甲１発明と甲４発明とは、システムにおけるスキンケア装置の制御部の配置に係る前提が異なるものであり、両者を組み合わせることはできない。
　よって、本件発明２は、甲１発明及び甲２発明並びに甲４発明に基づいて、当業者が容易に発明をすることができたものであるということはできない。
（３）本件発明３についての判断
　本件発明３は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定とは、肌状態測定装置が、「カメラ」と「肌を接写するコンバージョンレンズ」とを備えること等であるところ、甲７発明は当該限定事項に相当する構成を備えている。
　しかしながら、甲７発明は、携帯電話に取り付けるユニットに関する発明であって、＜相違点１−１−１＞乃至＜相違点１−１−２＞、又は、＜相違点１−２−１＞乃至＜相違点１−２−３＞に関連するものではないから、甲１発明に甲７発明を組み合わせても＜相違点１−１−１＞乃至＜相違点１−１−２＞、又は、＜相違点１−２−１＞乃至＜相違点１−２−３＞に係る構成に到達することはできない。
　よって、本件発明３は、甲１発明及び甲２発明並びに甲７発明に基づいて、当業者が容易に発明をすることができたものであるということはできない。
（４）本件発明４についての判断
　本件発明４は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定とは、測定データ用データベースにおいて、分析結果データが「顧客ＩＤに関連付けられて」時系列データとして登録されることであるところ、当該限定事項は、甲１発明に基づいて当業者が適宜なし得ることである。
　しかしながら、甲１発明に甲２発明を組み合わせても、＜相違点１−１−１＞乃至＜相違点１−１−２＞、又は、＜相違点１−２−１＞乃至＜相違点１−２−３＞に係る構成に到達することはできない。
　よって、本件発明４は、甲１発明及び甲２発明に基づいて、当業者が容易に発明をすることができたものであるということはできない。
（５）本件発明５についての判断
　本件発明５は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定とは、ユーザーデータ用データベースに、「化粧品データ」が「使用時期」と「顧客ＩＤ」とに関連付けて登録され、「分析結果データ」と「化粧品データ」とが「並列に表示可能」であること等であるが、甲１発明、甲２発明、甲３発明、甲８発明のいずれも、当該限定事項に相当する構成を備えていない。
　また、甲３発明及び甲８発明は、スキンケア装置に関する発明ではないから、甲１発明に甲３発明及び甲８発明を組み合わせても、＜相違点１−１−１＞乃至＜相違点１−１−２＞、又は、＜相違点１−２−１＞乃至＜相違点１−２−３＞に係る構成に到達することはできない。
　よって、本件発明５は、甲１発明及び甲２発明並びに甲３発明及び甲８発明に基づいて、当業者が容易に発明をすることができたものであるということはできない。
（６）本件発明６についての判断
　本件発明６は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定事項とは、化粧品データと並列に表示させる分析結果データを「時系列表示」と「比較表示」の少なくとも一方で表示可能とすることであるが、甲１発明、甲２発明、甲８発明、甲９発明のいずれも、当該限定事項に相当する構成を備えていない。
　また、甲８発明及び甲９発明は、スキンケア装置に関する発明ではないから、甲１発明に甲８発明及び甲９発明を組み合わせても、＜相違点１−１−１＞乃至＜相違点１−１−２＞、又は、＜相違点１−２−１＞乃至＜相違点１−２−３＞に係る構成に到達することはできない。
　よって、本件発明６は、甲１発明及び甲２発明並びに甲８発明及び甲９発明に基づいて、当業者が容易に発明をすることができたものであるということはできない。
（７）本件発明７についての判断
　本件発明７は、本件発明１を引用すると共に更なる限定を加えたものであって、本件発明１の＜相違点１−１−１＞乃至＜相違点１−１−２＞、又は、＜相違点１−２−１＞乃至＜相違点１−２−３＞に係る構成と同一の構成を備えるものである。
　ここで、上記更なる限定とは、分析結果出力手段が「分析手段」を有することであるところ、甲１発明は当該限定事項に相当する構成を備えている。
　しかしながら、甲１発明に甲２発明を組み合わせても、＜相違点１−１−１＞乃至＜相違点１−１−２＞、又は、＜相違点１−２−１＞乃至＜相違点１−２−３＞に係る構成に到達することはできない。
　よって、本件発明７は、甲１発明及び甲２発明に基づいて、当業者が容易に発明をすることができたものであるということはできない。
（８）本件発明８乃至１４についての判断
　本件発明８乃至１４は、それぞれ本件発明１−７を単に「方法」のカテゴリで記載したものであって、上記（１）乃至（７）で示した判断と同様に、甲１発明乃至甲９発明に基づいて、当業者が容易に発明をすることができたものであるということはできない。
（９）無効理由１についてのまとめ
　以上のとおりであるから、本件発明１乃至１４は、甲１発明、甲３発明、甲４発明、甲７発明及び甲８発明、並びに、甲２号証等の周知技術（甲２乃至甲４発明、甲８発明、甲９発明及び甲１１発明）に基づいて、当業者が容易に発明をすることができたものではなく、特許法第２９条第２項の規定に違反してなされたものではない。
　したがって、請求人が主張する無効理由によっては、同法第１２３条第１項第２号の規定に違反するものとして、請求項１乃至１４に係る発明の特許を無効とすることはできない。
３　無効理由２について
（１）本件発明１についての判断
ア　対比
　本件発明１と甲２発明を対比する。
（ア−１）分節（Ａ）の「ユーザークライアント」及び分節（Ｄ）の「スキンケア装置」について
　甲２発明では、『肌センサユニット２０』が『ユーザ端末１０』に接続されており、前記『肌センサユニット２０』で測定された肌の状態である『肌データ』が『ユーザ端末１０』から『業務委託先サーバ３０』に送信されることから、甲２発明の『肌センサユニット２０』及び『ユーザ端末１０』は、それぞれ、本件発明１の「肌状態測定装置」及び「ユーザークライアント」に相当し、当該ユーザークライアント（『ユーザ端末１０』）は、本件発明１のように、「ユーザーにより使用される肌状態測定装置」「とデータの送受信が行えるように有線または無線で接続され」ており、「ネットワークに接続してデータの送受信を行う送受信手段」に相当する構成を備えているといえる。
　さらに、甲２発明のユーザークライアント（『ユーザ端末１０』）においては、肌の表面状態の画像や水分率等の情報が『表示部１５』に表示されることから、前記『表示部１５』は本件発明１の「表示手段」に相当し、甲２発明におけるユーザークライアントは、本件発明１のように、「表示手段とを備え」ている。
　一方、甲２発明は、測定された肌データに基づく診断結果とアドバイス内容をユーザに提供するシステムであるから、甲２発明には、本件発明１における「スキンケア装置」に相当する装置が存在しない。
（ア−２）分節（Ｂ）の「データ管理サーバ」及び分節（Ｃ）の「分析結果出力手段」について
　甲２発明では、『業務委託先サーバ３０』が、肌状態測定装置により測定された『肌データ』と『肌データの基準値とを比較して診断』し、『診断結果』や『アドバイス内容』等を『肌履歴データベース３２４』に『会員ＩＤ』別に時系列に記憶するとともに、前記『診断結果』をユーザークライアントに送信することから、甲２発明の『会員ＩＤ』は、本件発明１の「前記ユーザー毎に重複の無い一意の顧客ＩＤ」に相当し、甲２発明の『診断結果』や『アドバイス内容』等は、本件発明１の「前記ユーザーに関連する情報」に相当する。
　そして、甲２発明において、前記ユーザーに関連する情報（『診断結果』や『アドバイス内容』等）を前記ユーザー毎に重複の無い一意の顧客ＩＤ（『会員ＩＤ』）に関連付けて記憶する『業務委託先サーバ３０』は、甲２発明の「データ管理サーバ」に相当する。
　また、甲２発明において肌状態測定装置により測定された『肌データ』は、本件発明２の「肌状態測定装置により測定された測定データ」に相当し、甲２発明において前記『肌データ』と『肌データの基準値とを比較して診断』することは、本件発明１の「測定されたデータを分析すること」に相当し、甲２発明の『診断結果』は、本件発明１の「肌状態の分析結果データ」に相当する。
　甲２発明では、肌状態の分析結果データは、『業務委託先サーバ３０』からユーザークライアントに出力されていることから、甲２発明の『業務委託先サーバ３０』は、本件発明１の「分析結果出力手段」に相当する構成を備えているといえる。
（ア−３）分節（ｂ１）の「ユーザーデータ用データベース」について
　甲２発明におけるデータ管理サーバの『会員情報データベース３２１』には、ユーザが会員登録をするときに登録される『会員ＩＤ，パスワード，氏名，メールアドレス，
紹介販売店の指定地域，決済情報
等
　そして、甲２発明においては、『氏名』、『メールアドレス』、『紹介販売店の指定地域』は顧客ＩＤ（『会員ＩＤ』）に関連付けられて『会員情報データベース３２１』に登録されることから、甲２発明の『氏名』、『メールアドレス』、『紹介販売店の指定地域』は、甲２発明の「前記顧客ＩＤに関連付けられたユーザデータ」に相当し、甲２発明の前記『会員情報データベース３２１』は、本件発明２の「ユーザーデータ用データベース」に相当する。
　なお、甲２発明のユーザーデータ（『氏名』、『メールアドレス』、『紹介販売店の指定地域』）は、ユーザが『肌の診断サービスの会員登録をするときに登録される』ものであるところ、インターネットを利用した各種サービスの会員登録の際には、個人情報等のユーザーデータをユーザークライアントから登録することが技術常識であることを考慮すると、甲２発明のユーザーデータは、本件発明１のように「複数の各ユーザークライアントから受信した」ものであるといえる。
（ア−４）分節（ｂ２）の「測定データ用データベース」について
　甲２発明では、肌状態測定装置により測定された測定データをユーザークライアントから受信したデータ管理サーバーが、前記測定データ及び分析結果データを、『肌履歴データベース３２４』に登録しており、また、当該『肌履歴データベース３２４』には、前記測定データ（『肌データ』）及び前記分析結果データ（『診断結果』）が、顧客ＩＤ（『会員ＩＤ』）別に、『年月日の順に時系列に記録』されていることから、甲２発明の『肌履歴データベース３２４』は、本件発明１の「前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベース測定データ用データベース」に相当する。
（ア−５）分節（ｂ３）の「データ閲覧用データ送信手段」について
　甲２発明のデータ管理サーバ（『業務委託先サーバ３０』）は、測定データ用データベース（『肌履歴データベース３２４』）に登録され、顧客ＩＤ（『会員ＩＤ』）に関連付けられたデータ（『診断結果』）をユーザークライアントに送信することから、甲２発明のデータ管理サーバは、本件発明１の「前記測定データ用データベースまたは前記ユーザーデータ用データベースに登録されるとともに、前記ユーザークライアントの前記顧客ＩＤに関連付けられたデータを、前記ユーザークライアントに送信するデータ閲覧用データ送信手段」に相当する構成を備えているといえる。
　ただし、甲２発明のデータ閲覧用データ送信手段は、ユーザークライアントへの前記データ送信を、本件発明１のように「前記ユーザークライアントからの閲覧要求に基づき」行うもの、ではない。
（ア−６）分節（ｂ４）の「スキンケア装置制御方法決定手段」について
　甲２発明のシステム自体に「スキンケア装置」が含まれていないため、甲２発明には、本件発明１における「スキンケア装置制御方法決定手段」及び「前記スキンケア装置は前記スキンケア装置制御方法決定手段により決定された制御方法に基づいて制御される」に相当する構成は存在しない。
（ア−７）分節（ａ１）の「ユーザーデータ送信手段」について
　上記（ア−３）の分節（ｂ１）に関して示したところにより、甲２発明におけるユーザークライアントは、本件発明１の「前記ユーザーにより入力されるとともに前記個人情報と前記付帯情報を含むユーザーデータを前記データ管理サーバに送信するユーザーデータ送信手段」に相当する構成を備えているといえる。
（ア−８）分節（ａ２）の「測定データ送信手段」について
　上記（ア−４）の分節（ｂ２）に関して示したところにより、甲２発明におけるユーザークライアントは、本件発明１の「前記肌状態測定装置により測定された前記ユーザーの前記測定データが当該肌状態測定装置から入力された場合に、入力された前記測定データを前記データ管理サーバに送信する測定データ送信手段」に相当する構成を備えているといえる。
（ア−９）分節（ａ３）の「分析結果表示手段」について
　上記（ア−４）の分節（ｂ２）に関して示したところにより、甲２発明におけるユーザークライアントは、本件発明１の「前記測定データに対する前記分析結果データが前記分析結果出力手段から入力された場合に前記分析結果データを表示する分析結果表示手段」に相当する構成を備えているといえる。
（ア−１０）分節（ａ４）の「データ閲覧要求手段」について
　甲２発明では、ユーザークライアントが表示する診断結果等は、データ管理サーバーにアドバイス内容が登録された後、データ管理サーバーからユーザークライアントにメールで通知されており、ユーザークライアントから診断結果等を要求するものではないため、甲２発明におけるユーザークライアントは、本件発明１の「前記測定データ用データベースまたは前記ユーザーデータ用データベースから前記顧客ＩＤに関連付けて記憶された各データの送信を要求するデータ閲覧要求手段」に相当する構成を備えていない。
（ア−１１）分節（ａ５）の「データ表示手段」について
　上記（ア−４）の分節（ｂ２）に関して示したところにより、甲２発明におけるユーザークライアントは、本件発明１の「データを前記データ管理サーバから受信した場合に、送信されたデータを表示するデータ表示手段」に相当する構成を備えているといえる。
　ただし、甲２発明のユーザークライアントには、上記（ア−１０）に示したとおり、「データ閲覧要求手段」に相当する構成が存在しないことから、甲２発明においてデータ表示手段が表示するデータは、本件発明１のように「前記データ閲覧要求手段により要求した」データ、ではない。
　以上（ア−１）乃至（ア−１１）によると、本件発明１と甲２発明は、次の点で一致する。
＜一致点＞
「ユーザーにより使用される肌状態測定装置とデータの送受信が行えるように有線または無線で接続されるとともに、ネットワークに接続してデータの送受信を行う送受信手段と表示手段とを備えたユーザークライアントと、
　前記ユーザークライアントに対して前記ネットワークを介してデータの送受信が可能にされ、前記ユーザーに関連する情報を前記ユーザー毎に重複の無い一意の顧客ＩＤに関連付けて記憶するデータ管理サーバと、
　前記肌状態測定装置により測定された測定データを分析することにより得られる肌状態の分析結果データが入力され、当該分析結果データを前記ユーザークライアントで表示可能に出力する分析結果出力手段と、
　を備え、
　前記データ管理サーバは、
　複数の各ユーザークライアントから受信した前記ユーザーの個人の特定につながる個人情報と前記ユーザーの個人情報を除いた付帯情報を含み、前記顧客ＩＤに関連付けられたユーザーデータが登録されるユーザーデータ用データベースと、
　前記ユーザークライアントから受信した前記肌状態測定装置により測定された前記測定データあるいは前記分析結果出力手段から得られた前記肌状態の分析結果データが前記顧客ＩＤに互いに関連付けられて登録されるとともに、前記測定データあるいは分析結果データが、当該測定データの取得時期に基づいた時系列に応じたデータとして登録される測定データ用データベースと、
　前記測定データ用データベースまたは前記ユーザーデータ用データベースに登録されるとともに、前記ユーザークライアントの前記顧客ＩＤに関連付けられたデータを、前記ユーザークライアントに送信するデータ閲覧用データ送信手段と、
　を備え、
　前記ユーザークライアントは、
　前記ユーザーにより入力されるとともに前記個人情報と前記付帯情報を含むユーザーデータを前記データ管理サーバに送信するユーザーデータ送信手段と、
　前記肌状態測定装置により測定された前記ユーザーの前記測定データが当該肌状態測定装置から入力された場合に、入力された前記測定データを前記データ管理サーバに送信する測定データ送信手段と、
　前記測定データに対する前記分析結果データが前記分析結果出力手段から入力された場合に前記分析結果データを表示する分析結果表示手段と、
　前記データを前記データ管理サーバから受信した場合に、送信されたデータを表示するデータ表示手段とを備えることを特徴とする肌状態測定分析情報管理システム。」
　そして、本件発明１と甲２発明は、次の点で相違する。
＜相違点２−１＞
　本件発明１のシステムでは、「スキンケア装置」がユーザークライアントと「接続」されているのに対し、甲２発明のシステムには、そもそも「スキンケア装置」を備えていない点。
＜相違点２−２＞
　本件発明１のデータ管理サーバは、「スキンケア装置制御方法決定手段」を備えており、また、本件発明１は、「前記スキンケア装置は前記スキンケア装置制御方法決定手段により決定された制御方法に基づいて制御される」という構成を備えているのに対して、甲２発明のデータ管理サーバは「スキンケア装置制御方法決定手段」を備えていない点。
＜相違点２−３＞
　本件発明１のユーザークライアントは、「前記測定データ用データベースまたは前記ユーザーデータ用データベースから前記顧客ＩＤに関連付けて記憶された各データの送信を要求するデータ閲覧要求手段」を備えているのに対し、甲２発明のユーザークライアントは備えていない点。また、本件発明１のデータ閲覧用データ送信手段は、ユーザークライアントへのデータ送信を、「前記ユーザークライアントからの閲覧要求に基づき」行うのに対し、甲２発明のデータ閲覧用データ送信手段は、そのような構成を備えていない点。
イ　相違点についての判断
＜相違点２−１＞について
　甲２発明は、肌診断のサービス提供業者自身がサーバを管理すると、データベースの構築等の手間が発生することや、診断データに基づいて美容品販売店等がユーザに直接メール等を送信すると、美容品販売店に個人情報が流出することを課題としており、それらの課題を解決するために、サービス提供業者から診断業務を委託された業者が運営する業務委託先サーバを用いて肌の診断を行い、また、当該業務委託先サーバからアドバイス内容をユーザへ送信するという発明であって、甲２発明のシステムに「スキンケア装置」を導入することは、甲２発明における課題の解決には何ら貢献しないことから、甲２発明のシステムに「スキンケア装置」を追加する動機付けがあるとはいえない。
　また、甲１発明は、スキンケア装置を肌状態測定装置で測定した使用者の肌状態に基づいて制御するという発明であり、いうなれば、スキンケア装置を備えていることを前提とした課題を解決しようとするものであり、ユーザークライアントにスキンケア装置を備えることによる課題解決を示すものでないから、甲２発明と甲１発明との組み合わせによって、＜相違点２−１＞に係る構成が容易想到であるとはいうことはできない。
　また、仮に、甲２発明のシステムに「スキンケア装置」を追加することに動機付けがあるとしても、当該「スキンケア装置」を甲２発明のユーザークライアントに接続することは、甲２発明と甲１発明のいずれにも特定されていない。この点、請求人が周知技術として示す甲１発明には「スキンケア装置」を「ネットアダプタ５４」に接続することは示されているものの、ユーザークライアントに接続することは示されていないことに照らせば、仮に甲２発明に甲１発明を組み合わせることを試みたとしても、＜相違点２−１＞に係る構成に至ることができない。
＜相違点２−２＞について
　上記＜相違点２−１＞のとおり、甲２発明のシステムには、そもそも「スキンケア装置」が存在しないことから、甲２発明のデータ管理サーバに「スキンケア装置制御方法決定手段」を備えようとする動機付けがあるとはいえない。
＜相違点２−３＞について
　甲１発明では、表示装置５２又は携帯電話ＨＰがセンターサーバ１０１にアクセスして、測定データの履歴や測定データと標準値とを比較するグラフ等を提供するサービスを選択すると、測定データの履歴や画像データがセンターサーバ１０１から表示装置５２又は携帯電話ＨＰに送信されており、当該甲１発明におけるデータ管理サーバ（『センターサーバ１０１』）は、本件発明１のように、「前記ユーザークライアントからの閲覧要求に基づき、前記測定データ用データベース」「に登録されるとともに、前記ユーザークライアントの前記顧客ＩＤに関連付けられたデータを、前記ユーザークライアントに送信するデータ閲覧用データ送信手段」に相当する構成を備えているといえるから、甲１発明は、＜相違点２−３＞に係る構成である、ユーザークライアントが「前記測定データ用データベースまたは前記ユーザーデータ用データベースから前記顧客ＩＤに関連付けて記憶された各データの送信を要求するデータ閲覧要求手段」を備え、データ閲覧用データ送信手段がユーザークライアントへのデータ送信を「前記ユーザークライアントからの閲覧要求に基づき」行うものであるといえる。
　ここで、甲１発明は、ユーザークライアントを介して送信された測定データをサーバにおいて管理するという点において、甲２発明と同じ技術分野に属することから、甲２発明において、同じ技術分野に属する甲１発明を適用して、当該＜相違点２−３＞に係る構成とすることは、当業者が容易になし得たものである。
ウ　請求人の主張について
　請求人は、「美容・健康診断システムにおいて美容（スキンケアを含む）ないし健康増進のための機器を接続することは周知技術」であり、「診断結果やアドバイスを提供する目的は、当然に、美容や健康の改善のための行動を促すことにあるから、当業者が、甲２発明に甲１発明を適用し、肌の診断結果を提供するシステムにおいて肌の改善を行う装置（スキンケア装置）を接続して診断結果に応じたスキンケア装置の制御を行うように構成する動機付けが存在する」と主張している（請求人の口頭審理陳述要領書第６頁）。
　当該主張について検討すると、上記＜相違点２−１＞に関して上述したとおり、甲１発明は、スキンケア装置を備えていることを前提とした課題を解決しようとするものであり、ユーザークライアントにスキンケア装置を備えることによる課題解決を示すものでないから、甲２発明と甲１発明との組み合わせによって、＜相違点２−１＞に係る構成が容易想到であるとはいうことはできない。また仮に「スキンケア装置」を接続する動機付けが存在したとしても、当該「スキンケア装置」を甲２発明のユーザークライアントに接続することは、甲２発明と甲１発明のいずれにも特定されていないことから、仮に甲２発明に甲１発明を組み合わせることを試みたとしても、相違点＜２−１＞に係る構成に至ることができない。
エ　まとめ
　以上のとおりであるから、本件発明１は、甲２発明及び甲１発明等の周知技術に基づいて、当業者が容易に発明をすることができたものであるということはできない。
（２）本件発明２についての判断
　本件発明２は、本件発明１を引用すると共に更なる限定を加えたものであって、本件発明１の＜相違点２−１＞及び＜相違点２−２＞に係る構成と同一の構成を備えるものである。
　ここで、上記更なる限定とは、上記２（２）に示したとおりであって、甲１発明、甲２発明、甲４発明のいずれも、当該限定事項に相当する構成を備えていない。
　また、甲４発明は、端末ＰＣやスチーム式美顔装置をＷｅｂサイトと連動させ、肌センサーにより測定された肌情報を端末ＰＣからＷｅｂサイトに送信することで、来店せずにカウンセリングを受けるという発明であり、いうなれば、スキンケア装置を備えていることを前提とした課題を解決しようとするものであり、ユーザークライアントにスキンケア装置を備えることによる課題解決を示すものでないことは甲１発明とかわらない。
　よって、甲２発明を、甲１発明及び甲４発明のいずれか又は両方と組み合わせることによっては、＜相違点２−１＞に係る構成が容易想到であるということはできない。
　よって、本件発明２は、甲２発明及び甲１発明並びに甲４発明に基づいて、当業者が容易に発明をすることができたものであるということはできない。
（３）本件発明３についての判断
　本件発明３は、本件発明１を引用すると共に更なる限定を加えたものであって、本件発明１の＜相違点２−１＞及び＜相違点２−２＞に係る構成と同一の構成を備えるものである。
　ここで、上記更なる限定とは、上記２（３）に示したとおりであって、甲７発明は当該限定事項に相当する構成を備えている。　
　しかしながら、甲７発明は、携帯電話に取り付けるユニットに関する発明であって、＜相違点２−１＞及び＜相違点２−２＞に関連するものではないから、甲２発明に甲７発明を組み合わせても、＜相違点２−１＞及び＜相違点２−２＞に係る構成に到達することはできない。
　よって、本件発明３は、甲２発明及び甲１発明並びに甲７発明に基づいて、当業者が容易に発明をすることができたものであるということはできない。
（４）本件発明４についての判断
　本件発明４は、本件発明１を引用すると共に更なる限定を加えたものであって、本件発明１の＜相違点２−１＞及び＜相違点２−２＞に係る構成と同一の構成を備えるものである。
　ここで、上記更なる限定とは、上記２（４）に示したとおりであって、当該限定事項は、甲１発明に基づいて当業者が適宜なし得ることである。
　しかしながら、甲２発明に甲１発明を組み合わせても、＜相違点２−１＞及び＜相違点２−２＞に係る構成に到達することはできない。
　よって、本件発明４は、甲２発明及び甲１発明に基づいて、当業者が容易に発明をすることができたものであるということはできない。
（５）本件発明５についての判断
　本件発明５は、本件発明１を引用すると共に更なる限定を加えたものであって、本件発明１の＜相違点２−１＞及び＜相違点２−２＞に係る構成と同一の構成を備えるものである。
　ここで、上記更なる限定とは、上記２（５）に示したとおりであって、甲１発明、甲２発明、甲３発明、甲８発明のいずれも、当該限定事項に相当する構成を備えていない。
　また、甲３発明及び甲８発明は、スキンケア装置に関する発明ではないから、甲２発明に甲３発明及び甲８発明を組み合わせても、＜相違点２−１＞及び＜相違点２−２＞に係る構成に到達することはできない。
　よって、本件発明５は、甲２発明及び甲１発明並びに甲３発明及び甲８発明に基づいて、当業者が容易に発明をすることができたものであるということはできない。
（６）本件発明６についての判断
　本件発明６は、本件発明１を引用すると共に更なる限定を加えたものであって、本件発明１の＜相違点２−１＞及び＜相違点２−２＞に係る構成と同一の構成を備えるものである。
　ここで、上記更なる限定事項とは、上記２（６）に示したとおりであって、甲１発明、甲２発明、甲８発明、甲９発明のいずれも、当該限定事項に相当する構成を備えていない。
　また、甲８発明及び甲９発明は、スキンケア装置に関する発明ではないから、甲２発明に甲８発明及び甲９発明を組み合わせても、＜相違点２−１＞及び＜相違点２−２＞に係る構成に到達することはできない。
　よって、本件発明６は、甲２発明及び甲１発明並びに甲８発明及び甲９発明に基づいて、当業者が容易に発明をすることができたものであるということはできない。
（７）本件発明７についての判断
　本件発明７は、本件発明１を引用すると共に更なる限定を加えたものであって、本件発明１の＜相違点２−１＞及び＜相違点２−２＞に係る構成と同一の構成を備えるものである。
　ここで、上記更なる限定とは、上記２（７）に示したとおりであって、甲１発明は当該限定事項に相当する構成を備えている。
　しかしながら、甲２発明に甲１発明を組み合わせても、＜相違点２−１＞及び＜相違点２−２＞に係る構成に到達することはできない。
　よって、本件発明７は、甲２発明及び甲１発明に基づいて、当業者が容易に発明をすることができたものであるということはできない。
（８）本件発明８乃至１４についての判断
　本件発明８乃至１４は、それぞれ本件発明１−７を単に「方法」のカテゴリで記載したものであって、上記（１）乃至（７）で示した判断と同様に、甲１発明乃至甲９発明に基づいて、当業者が容易に発明をすることができたものであるということはできない。
（９）無効理由２についてのまとめ
　以上のとおりであるから、本件発明１乃至１４は、甲２乃至甲４発明、甲７発明及び甲８発明、並びに、甲１号証等の周知技術（甲１発明、甲４乃至６発明、甲９発明及び甲１０発明）に基づいて、当業者が容易に発明をすることができたものではなく、特許法第２９条第２項の規定に違反してなされたものではない。
　したがって、請求人が主張する無効理由によっては、同法第１２３条第１項第２号の規定に違反するものとして、請求項１乃至１４に係る発明の特許を無効とすることはできない。
第７　むすび
　以上のとおりであるから、請求人が主張する無効理由及び証拠方法によっては、本件特許の請求項１乃至１４に係る発明の特許を無効とすることはできない。
　審判に関する費用については、特許法第１６９条第２項の規定で準用する民事訴訟法第６１条の規定により、請求人が負担すべきものとする。
　よって、結論のとおり審決する。